(57)【要約】  複数の所定のキャリアからなるキャリア群を含む複数のキャリアをシンボル期間毎に変調し、当該キャリア群を用いて制御情報の伝送を行う送信装置は、１つのシンボル期間において制御情報の複数ビット分のバイナリデータを伝送し、制御情報を１以上の所定数のシンボル期間で１回伝送する。当該送信装置は、制御情報の送信の際に、制御情報の各々のビットのバイナリデータを伝送するキャリアが所定数のシンボル期間毎に所定の規則に基づいて変化するように制御情報の伝送を行う。
2008149510.tif 000002
【特許請求の範囲】
【請求項１】
複数の所定のキャリアからなるキャリア群を含む複数のキャリアをシンボル期間毎に変調し、当該キャリア群を用いて制御情報の伝送を行う送信装置において、
１つのシンボル期間において前記制御情報の複数ビット分のバイナリデータを伝送し、前記制御情報を１以上の所定数のシンボル期間で１回伝送する伝送部と、
前記制御情報の各々のビットのバイナリデータを伝送するキャリアが前記キャリア群において前記所定数のシンボル期間毎に所定の規則に基づいて変化するように前記伝送部の前記制御情報の伝送を制御する伝送制御部と、
を備える送信装置。
【請求項２】
前記所定の規則は、前記制御情報の同じビットのバイナリデータを伝送するキャリアが前記キャリア群において前記所定のシンボル期間毎に巡回的にシフトする規則である請求項１記載の送信装置。
【請求項３】
前記所定の規則は、前記制御情報の同じビットのバイナリデータを伝送するキャリアが前記キャリア群において前記所定のシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則である請求項１記載の送信装置。
【請求項４】
複数の所定のキャリアからなるキャリア群を含む複数のキャリアをシンボル期間毎に変調し、当該キャリア群を用いて制御情報の伝送を行う送信装置において、
１つのシンボル期間において前記制御情報の全ビットのバイナリデータを伝送し、前記制御情報を毎シンボル期間で１回以上伝送する伝送部と、
前記制御情報の各々のビットのバイナリデータを伝送するキャリアが前記キャリア群においてシンボル期間毎に所定の規則に基づいて変化するように前記伝送部の前記制御情報の伝送を制御する伝送制御部と、
を備える送信装置。
【請求項５】
前記所定の規則は、前記制御情報の同じビットのバイナリデータを伝送するキャリアが前記キャリア群の全部又は一部においてシンボル期間毎に巡回的にシフトする規則である請求項４記載の送信装置。
【請求項６】
前記所定の規則は、前記制御情報の同じビットのバイナリデータを伝送するキャリアが前記キャリア群の全部又は一部においてシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則である請求項４記載の送信装置。
【請求項７】
複数の所定のキャリアからなるキャリア群を含む複数のキャリアをシンボル期間毎に変調し、当該キャリア群を用いて制御情報の伝送を行うマルチキャリア伝送方法において、
１つのシンボル期間において前記制御情報の複数ビット分のバイナリデータを伝送し、前記制御情報を１以上の所定数のシンボル期間で１回伝送する伝送ステップと、
前記制御情報の各々のビットのバイナリデータを伝送するキャリアが前記キャリア群において前記所定数のシンボル期間毎に所定の規則に基づいて変化するように前記伝送ステップにおける前記制御情報の伝送を制御する伝送制御ステップと、
を有するマルチキャリア伝送方法。
【請求項８】
複数の所定のキャリアからなるキャリア群を含む複数のキャリアをシンボル期間毎に変調し、当該キャリア群を用いて制御情報の伝送を行うマルチキャリア伝送方法において、
１つのシンボル期間において前記制御情報の全ビットのバイナリデータを伝送し、前記制御情報を毎シンボル期間で１回以上伝送する伝送ステップと、
前記制御情報の各々のビットのバイナリデータを伝送するキャリアが前記キャリア群においてシンボル期間毎に所定の規則に基づいて変化するように前記伝送ステップにおける前記制御情報の伝送を制御する伝送制御ステップと、
を有するマルチキャリア伝送方法。
【請求項９】
複数の所定のキャリアからなるキャリア群を含む複数のキャリアがシンボル期間毎に変調されることによって、当該キャリア群を用いて伝送される制御情報の受信を行う受信装置において、
１つのシンボル期間において前記制御情報の複数ビット分のバイナリデータが伝送され、前記制御情報は１以上の所定数のシンボル期間で１回伝送され、前記制御情報の各々のビットのバイナリデータを伝送するキャリアが前記キャリア群において前記所定数のシンボル期間毎に所定の規則に基づいて変化するように前記制御情報の伝送の制御が行われることによって伝送される当該制御情報を受信する受信部と、
前記受信部によって受信される前記制御情報の復元を前記所定の規則に基づいて行う復元部と、
を備える受信装置。
【請求項１０】
複数の所定のキャリアからなるキャリア群を含む複数のキャリアがシンボル期間毎に変調されることによって、当該キャリア群を用いて伝送される制御情報の受信を行う受信装置において、
１つのシンボル期間において前記制御情報の全ビットのバイナリデータが伝送され、前記制御情報は毎シンボル期間で１回以上伝送され、前記制御情報の各々のビットのバイナリデータを伝送するキャリアが前記キャリア群においてシンボル期間毎に所定の規則に基づいて変化するように前記制御情報の伝送の制御が行われることによって伝送される当該制御情報を受信する受信部と、
前記受信部によって受信される前記制御情報の復元を前記所定の規則に基づいて行う復元部と、
を備える受信装置。
【発明の詳細な説明】
【技術分野】
【０００１】
本発明は、マルチキャリア伝送における伝送パラメータ情報等の送信技術とその受信技術に関する。
【背景技術】
【０００２】
現在、地上デジタルテレビジョン放送に用いられているＯＦＤＭ（Orthogonal Frequency Division Multiplexing）伝送方法として、Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅにおいて、ＥＳＴＩ  ＥＮ  ３００  ７４４で標準化された伝送方法がある（非特許文献１参照。）。この標準規格はデジタルビデオ放送の伝送方法を定めたもので、ＤＶＢ−Ｔ（Digital Video Broadcasting Terrestrial）方式と呼ばれる。なお、ＯＦＤＭ伝送方法は、複数のキャリアを夫々デジタル変調して多重伝送するマルチキャリア伝送方法の一つである。【０００３】
以下、ＤＶＢ−Ｔ方式に基づくＯＦＤＭ伝送方法の概要について説明する。【０００４】
ＤＢＶ−Ｔ方式には、ＯＦＤＭ伝送に用いるキャリアの数が異なる２Ｋモード、４Ｋモード及び８Ｋモードの３つの伝送モードがあり、２Ｋモード、４Ｋモード及び８Ｋモードで用いられるキャリアの数は夫々１７０５、３４０９及び６８１７である。また、ＤＢＶ−Ｔ方式では、ＯＦＤＭ伝送に基づいてデジタル変調を施す時間単位をＯＦＤＭシンボルとし、６８ＯＦＤＭシンボルで１つのフレームを構成し、さらに４フレーム（２７２ＯＦＤＭシンボル）で１つのスーパーフレームを構成する。【０００５】
ＤＶＢ−Ｔ方式では、主として映像情報を伝送するメインストリームの他に、伝送パラメータ情報を通知するＴＰＳ（Transmission Parameter Signalling）と、分散パイロット信号（以下、「ＳＰ信号」と言う。）及び連続パイロット信号（以下、「ＣＰ信号」と言う。）の２種類のリファレンス信号とが伝送される。ＤＶＢ−Ｔ方式では、メインストリームの伝送速度及び伝送強度（ｒｏｂｕｓｔｎｅｓｓ）を制御すべく、数パターンの伝送パラメータ情報の設定が可能になっており、伝送パラメータ情報はＴＰＳによって送信装置から受信装置へ通知される。また、受信装置はＳＰ信号及びＣＰ信号に基づいて伝送路の伝達特性を推定可能になっている。【０００６】
上記のＴＰＳは所定の周波数に配置された複数のキャリアで伝送される。ＴＰＳの伝送に用いられる各キャリアをＴＰＳキャリアと呼び、２Ｋモード、４Ｋモード及び８ＫモードにおけるＴＰＳキャリアの数は夫々１７、３４及び６８である。同じＯＦＤＭシンボルに含まれる複数のＴＰＳキャリアはＤＢＰＳＫ（Differential Binary Phase Shift Keying）変調された伝送パラメータ情報などの同じビットを並列に伝送し、１ＯＦＤＭシンボル当り伝送パラメータ情報などの１ビット分のバイナリデータを伝送する。【０００７】
伝送パラメータ情報などを伝送する一連のＴＰＳのブロックをＴＰＳブロックと呼び、従来例におけるＴＰＳブロックは１フレーム（６８ＯＦＤＭシンボル）の同じキャリア番号のＴＰＳキャリアで伝送される６８個のＴＰＳからなるブロックである。【０００８】
ＴＰＳブロックは、１ビットの初期化ビットｓ0、１６ビットの同期ワードｓ1〜ｓ16、３７ビットの伝送パラメータ情報ｓ17〜ｓ53、及び誤り保護のための冗長符号ｓ54〜ｓ67からなる６８ビットのバイナリデータで構成される。初期化ビットｓ0は、ＤＢＰＳＫ変調の変調位相の初期化に用いられる。同期ワードｓ1〜ｓ16は、受信装置においてフレーム同期に用いられ、“００１１０１０１１１１０１１１０”又は“１１００１０１００００１０００１”からなる交番符号である。伝送パラメータ情報ｓ17〜ｓ53は、その伝送パラメータ情報ｓ17〜ｓ53に含まれる情報の長さ、フレーム番号、コンステレーション（データ伝送キャリアの変調方法）、階層情報、伝送路符号化の符号化率、ＯＦＤＭ伝送のガード期間長、伝送モード、セルＩＤ及び予備ビットを含む。冗長符号ｓ54〜ｓ67は、同期ワードｓ1〜ｓ16と伝送パラメータ情報ｓ17〜ｓ53とに対して短縮化ＢＣＨ（６７，５３）符号によって符号化した冗長検査符号であり、受信装置は短縮化ＢＣＨ（６７，５３）符号によって２ビットまでの伝送誤りを訂正することができる。【０００９】
ＤＶＢ−Ｔ方式における受信装置は、ＴＰＳによって通知される伝送パラメータ情報を取得し、取得した伝送パラメータ情報を基にメインストリームの伝送方法（コンステレーション、階層情報、伝送路符号化の符号化率など）を識別することによって、メインストリームを復調し、復号することができる。メインストリームの復調及び復号にとって伝送パラメータ情報は重要であるため、ＴＰＳの伝送強度は高く設計されている。例えば、ＴＰＳは複数のＴＰＳキャリアでＴＰＳブロックの同じビットを並列に伝送するため、受信装置は複数のＴＰＳキャリアで伝送されるＴＰＳブロックの同じビットを合成して復調することで受信誤りを抑えることができる。また、ＴＰＳは複数のＴＰＳキャリアで伝送されることから、ＴＰＳは周波数ダイバーシティ効果を有し、周波数選択性フェージングに対する強度を有している。【００１０】
受信装置は同期ワードｓ1〜ｓ16がフレーム毎に交番することを検出してフレーム同期を確立する。なお、同期ワードｓ1〜ｓ16を交番符号にすることによってＴＰＳで伝送される他のデータが同期ワードに似ていても誤った位置でフレーム同期が確立されることを防ぐことができる。【００１１】
また、ＤＶＢ−Ｔ方式をベースにした携帯端末向けの伝送方法として、ＤＶＢ−Ｈ（Digital Video Broadcasting Handheld）方式が標準化されている。ＤＶＢ−Ｈ方式は、ＤＶＢ−Ｔ方式の伝送においてメインストリームを間欠的に多重送信し、受信装置はそれを間欠的に受信することによって受信装置の消費電力を抑える伝送方法である。
【非特許文献１】ＥＳＴＩ  ＥＮ  ３００  ７４４
【発明の開示】
【発明が解決しようとする課題】
【００１２】
しかしながら、上述したＯＦＤＭ伝送方法では、受信装置がＴＰＳに基づいて伝送パラメータ情報を識別するためには１フレーム以上のＴＰＳの受信を行う必要がある。そして、受信装置は伝送パラメータ情報を識別した後にメインストリームの復調を開始するため、選局開始時などにおいてメインストリームの復調開始に遅延が生じてしまう。同様に、受信装置が同期ワードの交番を検出するためには１フレーム以上の保護期間を要するため、選局開始時などにおいてフレーム同期の確立に遅延が生じてしまう。【００１３】
また、ＤＶＢ−Ｈ方式のように間欠受信する受信装置であっても、選局開始時や伝送パラメータ情報の再取得時には１フレーム以上の連続受信を行う必要がある。【００１４】
さらに、ＴＰＳブロックの誤り訂正に用いられる短縮化ＢＣＨ（６７，５３）符号は誤り訂正能力が２ビットまでであるため、伝送路の時間変動やインパルス雑音などによって１フレーム中に３ＯＦＤＭシンボル以上の受信障害が発生すると、受信装置は伝送パラメータ情報を誤って受信してしまう可能性がある。【００１５】
そこで、本発明は、受信装置における伝送パラメータ情報などの制御情報の短時間での取得或いは伝送パラメータ情報などの制御情報の伝送品質の向上を可能にする送信装置、マルチキャリア伝送方法及び受信装置を提供することを目的とする。
【課題を解決するための手段】
【００１６】
上記目的を達成するために本発明の送信装置は、複数の所定のキャリアからなるキャリア群を含む複数のキャリアをシンボル期間毎に変調し、当該キャリア群を用いて制御情報の伝送を行う送信装置において、１つのシンボル期間において前記制御情報の複数ビット分のバイナリデータを伝送し、前記制御情報を１以上の所定数のシンボル期間で１回伝送する伝送部と、前記制御情報の各々のビットのバイナリデータを伝送するキャリアが前記キャリア群において前記所定数のシンボル期間毎に所定の規則に基づいて変化するように前記伝送部の前記制御情報の伝送を制御する伝送制御部と、を備える。【００１７】
また、本発明の送信装置は、複数の所定のキャリアからなるキャリア群を含む複数のキャリアをシンボル期間毎に変調し、当該キャリア群を用いて制御情報の伝送を行う送信装置において、１つのシンボル期間において前記制御情報の全ビットのバイナリデータを伝送し、前記制御情報を毎シンボル期間で１回以上伝送する伝送部と、前記制御情報の各々のビットのバイナリデータを伝送するキャリアが前記キャリア群においてシンボル期間毎に所定の規則に基づいて変化するように前記伝送部の前記制御情報の伝送を制御する伝送制御部と、を備える。
【発明の効果】
【００１８】
従来例ではシンボル期間に制御情報（上記のＴＰＳブロックに相当）の１ビット分のバイナリデータの伝送しか行われない。これに対して、上記の各送信装置では、シンボル期間に制御情報の複数ビット分のバイナリデータ又は全ビットのバイナリデータの伝送が行われる。このため、上記の各送信装置によれば、従来例に比べて少ない数のシンボル期間で１つの制御情報の伝送が可能になる。なお、受信装置は送信された制御情報の短時間での取得が可能である。【００１９】
また、制御情報の各ビットのバイナリデータは複数のシンボル期間に伝送されるとともに伝送に用いられるキャリアを変えながら伝送されるため、制御情報に関して時間ダイバーシティ効果及び周波数ダイバーシティ効果の双方が同時に得られ、制御情報の伝送品質の向上が図られる。【００２０】
上記の送信装置において、前記所定の規則は、前記制御情報の同じビットのバイナリデータを伝送するキャリアが前記キャリア群において前記所定のシンボル期間毎に巡回的にシフトする規則であるとしてもよく、或いは、前記制御情報の同じビットのバイナリデータを伝送するキャリアが前記キャリア群の全部又は一部においてシンボル期間毎に巡回的にシフトする規則であるとしてもよい。【００２１】
上記の送信装置によれば、制御情報の伝送品質の向上が図られる。【００２２】
上記の送信装置において、前記所定の規則は、前記制御情報の同じビットのバイナリデータを伝送するキャリアが前記キャリア群において前記所定のシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則であるとしてもよく、或いは、前記制御情報の同じビットのバイナリデータを伝送するキャリアが前記キャリア群の全部又は一部においてシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則であるとしてもよい。【００２３】
上記の送信装置によれば、より大きな周波数ダイバーシティ効果を得ることができ、制御情報の伝送品質の更なる向上が図られる。【００２４】
本発明のマルチキャリア伝送方法は、複数の所定のキャリアからなるキャリア群を含む複数のキャリアをシンボル期間毎に変調し、当該キャリア群を用いて制御情報の伝送を行うマルチキャリア伝送方法において、１つのシンボル期間において前記制御情報の複数ビット分のバイナリデータを伝送し、前記制御情報を１以上の所定数のシンボル期間で１回伝送する伝送ステップと、前記制御情報の各々のビットのバイナリデータを伝送するキャリアが前記キャリア群において前記所定数のシンボル期間毎に所定の規則に基づいて変化するように前記伝送ステップにおける前記制御情報の伝送を制御する伝送制御ステップと、を有する。【００２５】
また、本発明のマルチキャリア伝送方法は、複数の所定のキャリアからなるキャリア群を含む複数のキャリアをシンボル期間毎に変調し、当該キャリア群を用いて制御情報の伝送を行うマルチキャリア伝送方法において、１つのシンボル期間において前記制御情報の全ビットのバイナリデータを伝送し、前記制御情報を毎シンボル期間で１回以上伝送する伝送ステップと、前記制御情報の各々のビットのバイナリデータを伝送するキャリアが前記キャリア群においてシンボル期間毎に所定の規則に基づいて変化するように前記伝送ステップにおける前記制御情報の伝送を制御する伝送制御ステップと、を有する。【００２６】
従来例ではシンボル期間に制御情報（上記のＴＰＳブロックに相当）の１ビット分のバイナリデータの伝送しか行われない。これに対して、上記の各マルチキャリア伝送方法では、シンボル期間に制御情報の複数ビット分のバイナリデータ又は全ビットのバイナリデータの伝送が行われる。このため、上記の各マルチキャリア伝送方法によれば、従来例に比べて少ない数のシンボル期間で１つの制御情報の伝送が可能になる。【００２７】
また、制御情報の各ビットのバイナリデータは複数のシンボル期間に伝送されるとともに伝送に用いられるキャリアを変えながら伝送されるため、制御情報に関して時間ダイバーシティ効果及び周波数ダイバーシティ効果の双方が同時に得られ、制御情報の伝送品質の向上が図られる。【００２８】
本発明の受信装置は、複数の所定のキャリアからなるキャリア群を含む複数のキャリアがシンボル期間毎に変調されることによって、当該キャリア群を用いて伝送される制御情報の受信を行う受信装置において、１つのシンボル期間において前記制御情報の複数ビット分のバイナリデータが伝送され、前記制御情報は１以上の所定数のシンボル期間で１回伝送され、前記制御情報の各々のビットのバイナリデータを伝送するキャリアが前記キャリア群において前記所定数のシンボル期間毎に所定の規則に基づいて変化するように前記制御情報の伝送の制御が行われることによって伝送される当該制御情報を受信する受信部と、前記受信部によって受信される前記制御情報の復元を前記所定の規則に基づいて行う復元部と、を備える。【００２９】
また、本発明の受信装置は、複数の所定のキャリアからなるキャリア群を含む複数のキャリアがシンボル期間毎に変調されることによって、当該キャリア群を用いて伝送される制御情報の受信を行う受信装置において、１つのシンボル期間において前記制御情報の全ビットのバイナリデータが伝送され、前記制御情報は毎シンボル期間で１回以上伝送され、前記制御情報の各々のビットのバイナリデータを伝送するキャリアが前記キャリア群においてシンボル期間毎に所定の規則に基づいて変化するように前記制御情報の伝送の制御が行われることによって伝送される当該制御情報を受信する受信部と、前記受信部によって受信される前記制御情報の復元を前記所定の規則に基づいて行う復元部と、を備える。【００３０】
従来例ではシンボル期間に制御情報（上記のＴＰＳブロックに相当）の１ビット分のバイナリデータの受信しか行われない。これに対して、上記の各受信装置では、シンボル期間に制御情報の複数ビット分のバイナリデータ又は全ビットのバイナリデータの受信が行われる。このため、上記の各受信装置によれば、従来例に比べて少ない数のシンボル期間で１つの制御情報の受信が可能である。【００３１】
また、制御情報の各ビットのバイナリデータは複数のシンボル期間に伝送されるとともに伝送に用いられるキャリアを変えながら伝送されるため、制御情報に関して時間ダイバーシティ効果及び周波数ダイバーシティ効果の双方が同時に得られ、制御情報の伝送品質の向上が図られる。
【図面の簡単な説明】
【００３２】
【図１】ＳＰ信号、ＣＰ信号及びＴＰＳの配置を示す図。
【図２】本発明に係る実施の形態の送信装置の装置構成図。
【図３】図２のＴＰＳ信号生成部の構成図。
【図４】本発明に係る実施の形態の受信装置の装置構成図。
【図５】図４のＴＰＳ復調部、フレーム同期部及びＴＰＳ復号部の構成図。
【符号の説明】
【００３３】
１００  送信装置
１０１，１０５  エネルギ拡散部
１０２，１０６  外符号化部
１０３，１０７  外インタリーバ
１０４，１０８  内符号化部
１０９  内インタリーバ
１１０  ＴＰＳ信号生成部
１１１  パイロット生成部
１１２  マッピング部
１１３  フレーム適合部
１１４  ＯＦＤＭ変調部
１１５  ガードインターバル挿入部
１１６  Ｄ／Ａ変換部
１１７  フロントエンド部
１１９  アンテナ
１５１  ＴＰＳブロック生成部
１５２  ローテーション部
１５３  パーミュテーション部
２０１  アンテナ
２０２  フロントエンド部
２０３  Ａ／Ｄ変換部
２０４  ＡＦＣ部
２０５  シンボル同期部
２０６  ＯＦＤＭ復調部
２０７  ＴＰＳ復調部
２０８  フレーム同期部
２０９  ＴＰＳ復号部
２１０  等化部
２１１  デマッピング部
２１２  内デインタリーバ
２１３，２１７  内符号部
２１４，２１８  外デインタリーバ
２１５，２１９  外符号化部
２１６，２２０  エネルギ拡散部
２３１  ＤＢＰＳＫ復調部
２３２  逆パーミュテーション部
２５１  同期ワード検出部
２５２  同期保護部
２７１  メモリ
２７２  合成部
２７３  逆ローテーション部
２７４  ＢＣＨ復号部
【発明を実施するための最良の形態】
【００３４】
以下、本発明の実施の形態について図面を参照しつつ説明する。但し、本実施の形態では、トランスポートストリームとして符号化された映像情報及び音声情報を送信するマルチキャリア伝送方法を例に説明する。なお、送信される情報はこれに限られるものではない。【００３５】
≪ＯＦＤＭに係るフレーム構造≫
以下、本発明の実施の形態の送信装置及び受信装置について説明する前に、ＯＦＤＭに係るフレーム構造について説明する。但し、本実施の形態のマルチキャリア伝送方法では、時間的に連続する６８ＯＦＤＭシンボルで１つのフレームが構成され、時間的に連続する４フレームで１つのスーパーフレームが構成される。但し、ＯＦＤＭシンボルとは、ＯＦＤＭ伝送に基づいてデジタル変調を施す時間単位である。【００３６】
フレーム内の６８個のＯＦＤＭシンボルはシンボル番号ｎ（ｎは０以上６７以下の整数）によってインデックス化される。【００３７】
１つのＯＦＤＭシンボルは複数のキャリアで構成され、ＯＦＤＭシンボルを構成するキャリアの数は伝送モードによって異なる。例えば、１つのＯＦＤＭシンボルを構成するキャリアの数は２Ｋモード、４Ｋモード、８Ｋモード、１６Ｋモード及び３２Ｋモードの夫々において１７０５、３４０９、６８１７、１３６３３及び２７２６５である。キャリアはキャリア番号ｋ（ｋはＫmin以上Ｋmax以下の整数）でインデックス化される。最小のキャリア番号Ｋminを０とする。この場合、最大のキャリア番号Ｋmaxは２Ｋモード、４Ｋモード、８Ｋモード、１６Ｋモード及び３２Ｋモードの夫々において１７０４、３４０８、６８１６、１３６３２及び２７２６４である。【００３８】
１つのＯＦＤＭシンボル期間の１つのキャリアをセルと呼び、１つのセルでは１つの変調シンボルが伝送される。１つのＯＦＤＭシンボルはシンボル期間ＴSで伝送され、シンボル期間ＴSは有効シンボル期間ＴUとガード期間と呼ばれる冗長な期間Δとからなる。このとき、隣接するキャリアの周波数間隔は１／ＴUである。【００３９】
ＯＦＤＭフレームには、送信データの他に分散パイロット信号（ＳＰ信号）、連続パイロット信号（ＣＰ信号）及びＴＰＳが含まれる。以下、ＳＰ信号、ＣＰ信号及びＴＰＳの伝送に用いられるキャリアについて順番に説明する。【００４０】
＜ＳＰ信号を伝送するキャリア＞
ＳＰ信号は、シンボル番号ｎのシンボルにおいて、下記の（数１）で与えられるキャリア番号のサブセットに属する複数のキャリアで伝送される。【００４１】
【数１】
2008149510.tif 000003
【００４２】
但し、（数１）において、ｐは０以上の整数である。また、ｋはＫmin以上Ｋmax以下の範囲を超えないものとし、Ｋmaxの値は伝送モードに依存し、例えばＫmin及びＫmaxは上述した値である。また、ｍｏｄは剰余演算である。【００４３】
＜ＣＰ信号を伝送するキャリア＞
ＣＰ信号は、下記の（表１）に示す各キャリア番号ｋCPに対して、ｋ＝ｋCP＋１７０４ｐで与えられるキャリア番号のサブセットに属する複数のキャリアで伝送される。但し、ｐは０以上の整数である。また、ｋはＫmin以上Ｋmax以下の範囲を超えないものとし、Ｋmaxの値は伝送モードに依存し、例えばＫmin及びＫmaxは上述した値である。即ち、ＣＰ信号を伝送するサブセットに含まれるキャリアのキャリア番号は、下記の（表１）に示す各キャリア番号を１７０４キャリア周期でＫmaxまで繰り返して得られるキャリア番号に相当する。【００４４】
ＣＰ信号を伝送するキャリアの数は２Ｋモード、４Ｋモード、８Ｋモード、１６Ｋモード及び３２Ｋモードの夫々において４５、８９、１７７、３５３及び７０５である。但し、ＣＰ信号を伝送するセルの一部はＳＰ信号を伝送するセルと一致する。ＳＰ信号を伝送するセルと一致しないＣＰ信号を伝送するセルの数（１シンボル当りのキャリアの数）は２Ｋモード、４Ｋモード、８Ｋモード、１６Ｋモード及び３２Ｋモードの夫々において３３、６６、１３２、２６４及び５２８である。【００４５】
【表１】
2008149510.tif 000004
【００４６】
＜ＴＰＳを伝送するキャリア＞
ＴＰＳは、キャリア番号がｋTPS（ｊ）で表されるサブセットに含まれる複数のキャリアで伝送される。ｊはＴＰＳキャリアのキャリア番号ｋTCP（ｊ）を特定するインデックス（以下、「ＴＰＳキャリアインデックス」と言う。）である。ＴＰＳキャリアインデックスｊが０以上１６以下の範囲では、キャリア番号ｋTPS（ｊ）は下記の（表２）で規定され、ＴＰＳキャリアインデックスｊが１７以上の範囲では、キャリア番号ｋTPS（ｊ）は漸化式ｋTCP（ｊ）＝ｋTCP（ｊ−１７）＋１７０４で与えられる。但し、ＴＰＳキャリアインデックスｊは、２Ｋモードでは０以上１６以下の整数、４Ｋモードでは０以上３３以下の整数、８Ｋモードでは０以上６７以下の整数、１６Ｋモードでは０以上１３５以下の整数、３２Ｋモードでは０以上２７１以下の整数である。【００４７】
即ち、ＴＰＳを伝送するサブセットに含まれるキャリアのキャリア番号は、下記の（表２）に示す各キャリア番号ｋTCP（ｊ）を１７０４キャリア周期でＫmaxまで繰り返して得られるキャリア番号に相当する。但し、Ｋmaxの値は伝送モードに依存し、例えばＫmaxは上述した値である。【００４８】
ＴＰＳを伝送するＴＰＳキャリアの数は２Ｋモード、４Ｋモード、８Ｋモード、１６Ｋモード及び３２Ｋモードの夫々において１７、３４、６８、１３６及び２７２である。【００４９】
【表２】
2008149510.tif 000005
【００５０】
なお、ＳＰ信号、ＣＰ信号、及びＴＰＳの信号配置の一例を図１に示す。図１は２Ｋモードにおける信号配置を示しており、黒丸はＳＰ信号又はＣＰ信号を示し、二重丸はＴＰＳを示し、白丸は送信データを示す。【００５１】
≪ＴＰＳブロックの内容≫
次に、伝送パラメータ情報などを伝送する一連のＴＰＳのブロック（ＴＰＳブロック）の内容について説明する。なお、ｓ並びに後述するｓ’及びｓ”の添え字はＴＰＳブロック内のビット位置を示す。【００５２】
ＴＰＳブロックは、１ビットの初期化ビットｓ0、１６ビットの同期ワードｓ1〜ｓ16、３７ビットの伝送パラメータ情報ｓ17〜ｓ53、及び誤り保護のための１４ビットの冗長符号ｓ54〜ｓ67からなる６８ビットのバイナリデータで構成される。ＴＰＳブロックを構成する各バイナリデータは１つのＴＰＳで伝送される。【００５３】
初期化ビットｓ0は、ＤＢＰＳＫ変調の変調位相の初期化に用いられる。同期ワードｓ1〜ｓ16は、受信装置においてフレーム同期に用いられ、同期ワードｓ1〜ｓ16には“００１１０１０１１１１０１１１０”及び“１１００１０１００００１０００１”なる交番する２種類の符号の何れかが割り当てられる。伝送パラメータ情報ｓ17〜ｓ53は、その伝送パラメータ情報ｓ17〜ｓ53に含まれる情報の長さ、フレーム番号、コンステレーション（データ伝送キャリアの変調方法）、階層情報、伝送路符号化の符号化率、ＯＦＤＭ伝送のガード期間長、伝送モード、セルＩＤ、及び予備ビットを含む。冗長符号ｓ54〜ｓ67は、同期ワードｓ1〜ｓ16と伝送パラメータ情報ｓ17〜ｓ53とに対して短縮化ＢＣＨ（６７，５３）符号によって符号化した冗長検査符号であり、受信装置は短縮化ＢＣＨ（６７，５３）符号によって２ビットまでの伝送誤りを訂正することができる。【００５４】
さらに、１つのＴＰＳブロックの伝送に用いられるＴＰＳの概要について説明する。なお、従来例では、上述したように、１つのＴＰＳブロックｓ0〜ｓ67は１フレーム（６８ＯＦＤＭシンボル）内の同じキャリア番号の６８個のＴＰＳで伝送される。別の言い方をすれば、従来例では、１つのＯＦＤＭシンボルではＴＰＳブロックｓ0〜ｓ67の１ビット分のバイナリデータのみが伝送される。【００５５】
本実施の形態では、２Ｋモードの場合、ＴＰＳは１ＯＦＤＭシンボルに１７個あることから４ＯＦＤＭシンボルには６８個のＴＰＳが存在することになり、４ＯＦＤＭシンボルに含まれるＴＰＳの個数はＴＰＳブロックｓ0〜ｓ67のビット数に一致する。このことを考慮し、送信装置は、１ＯＦＤＭシンボルでＴＰＳブロックｓ0〜ｓ67の１７ビット分のバイナリデータを伝送し、４ＯＦＤＭシンボルでＴＰＳブロックｓ0〜ｓ67を１つずつ伝送する。【００５６】
４Ｋモードの場合、ＴＰＳは１ＯＦＤＭシンボルに３４個あることから２ＯＦＤＭシンボルには６８個のＴＰＳが存在することになり、２ＯＦＤＭシンボルに含まれるＴＰＳの個数はＴＰＳブロックｓ0〜ｓ67のビット数に一致する。このことを考慮し、送信装置は、１ＯＦＤＭシンボルでＴＰＳブロックｓ0〜ｓ67の３４ビット分のバイナリデータを伝送し、２ＯＦＤＭシンボルでＴＰＳブロックｓ0〜ｓ67を１つずつ伝送する。【００５７】
８Ｋモードの場合、ＴＰＳは１ＯＦＤＭシンボルに６８個あることから、１ＯＦＤＭシンボルに含まれるＴＰＳの個数はＴＰＳブロックｓ0〜ｓ67のビット数に一致する。このことを考慮し、送信装置は、１ＯＦＤＭシンボルでＴＰＳブロックｓ0〜ｓ67の全ビットのバイナリデータを伝送し、毎ＯＦＤＭシンボルで１つのＴＰＳブロックｓ0〜ｓ67を伝送する。【００５８】
１６Ｋモードの場合、ＴＰＳは１ＯＦＤＭシンボルに１３６個あることから、１ＯＦＤＭシンボルに含まれるＴＰＳの個数は２個分のＴＰＳブロックｓ0〜ｓ67のビット数の合計に一致する。このことを考慮し、送信装置は、１ＯＦＤＭシンボルでＴＰＳブロックｓ0〜ｓ67の全ビットのバイナリデータを伝送し、毎ＯＦＤＭシンボルで２つのＴＰＳブロックｓ0〜ｓ67を伝送する。【００５９】
３２Ｋモードの場合、ＴＰＳは１ＯＦＤＭシンボルに２７６個あることから、１ＯＦＤＭシンボルに含まれるＴＰＳの個数は４個分のＴＰＳブロックｓ0〜ｓ67のビット数の合計に一致する。このことを考慮し、送信装置は、１ＯＦＤＭシンボルでＴＰＳブロックｓ0〜ｓ67の全ビットのバイナリデータを伝送し、毎ＯＦＤＭシンボルで４つのＴＰＳブロックｓ0〜ｓ67を伝送する。【００６０】
≪送信装置の構成≫
以下、本実施の形態の送信装置の構成について図２を参照しつつ説明する。図２は本実施の形態の送信装置の装置構成図である。【００６１】
送信装置１００は、エネルギ拡散部１０１と、外符号化部１０２と、外インタリーバ１０３と、内符号化部１０４と、エネルギ拡散部１０５と、外符号化部１０６と、外インタリーバ１０７と、内符号化部１０８と、内インタリーバ１０９と、ＴＰＳ信号生成部１１０と、パイロット生成部１１１と、マッピング部１１２と、フレーム適合部１１３と、ＯＦＤＭ変調部１１４と、ガードインターバル挿入部１１５と、Ｄ／Ａ変換部１１６と、フロントエンド部１１７と、アンテナ１１８とを備える。なお、送信装置１００は送信データとして２系統までのトランスポートストリームを多重して送信することが可能である。【００６２】
＜エネルギ拡散部１０１＞
送信装置１００に入力された第１系統のトランスポートストリーム（送信データ）はエネルギ拡散部１０１に供給される。但し、第１系統のトランスポートストリームは１８８バイトを１パケットとするパケット構造を有しており、パケット毎にパケットの先頭に同期バイトが配置されている。【００６３】
エネルギ拡散部１０１は、供給されるトランスポートストリーム内の送信データをランダマイズする。具体的に記載すると、エネルギ拡散部１０１は、ＰＲＢＳ（Pseudorandom Binary Sequence）系列のデータに基づいて供給されるトランスポート内の送信データをビット単位で部分的に反転することによってエネルギ拡散し、エネルギ拡散処理が施された送信データを外符号化部１０２へ出力する。但し、ＰＲＢＳ系列のデータは生成多項式Ｇ（ｘ）＝ｘ15＋ｘ14＋１に従って生成され、８パケット毎にＰＲＢＳ系列のデータは初期化される。【００６４】
＜外符号化部１０２＞
外符号化部１０２は、エネルギ拡散部１０１から入力されるエネルギ拡散処理が施された送信データをパケット毎にＲＳ（Reed-Solomon）符号によって符号化する。そして、外符号化部１０２は、符号化によって得られた２０４バイトの送信データ（エネルギ拡散処理が施された１８８バイトの送信データの後に１６バイトのパリティに係るデータを付加した２０４バイトの送信データ）をパケットとして再構成して外インタリーバ１０３へ出力する。【００６５】
＜外インタリーバ１０３＞
外インタリーバ１０３は、外符号化部１０２から入力されるＲＳ符号によって符号化された送信データを、バイト幅で深さＩ＝１２の畳み込みインタリーブし、畳み込みインタリーブ処理が施された送信データを内符号化部１０４へ出力する。【００６６】
＜内符号化部１０４＞
内符号化部１０４は、外インタリーバ１０３から入力される畳み込みインタリーブ処理が施された送信データを、生成多項式がＧ1＝１７１OCT及びＧ2＝１３３OCTである畳み込み符号によって符号化する。そして、内符号化部１０４は、畳み込み符号化された送信データをパンクチャリングしながら（間引きながら）、内インタリーバ１０９へ出力する。このようにして、内符号化部１０４は、符号化率が可変なパンクチャド畳み込み符号化を行う。【００６７】
＜エネルギ拡散部１０５＞
送信装置１００に入力された第２系統のトランスポートストリーム（送信データ）はエネルギ拡散部１０５に供給される。但し、第２系統のトランスポートストリームは１８８バイトを１パケットとするパケット構造を有しており、パケット毎にパケットの先頭に同期バイトが配置されている。【００６８】
エネルギ拡散部１０５は、供給されるトランスポートストリーム内の送信データをランダマイズする。具体的に記載すると、エネルギ拡散部１０５は、ＰＲＢＳ系列のデータに基づいて供給されるトランスポートストリーム内の送信データをビット単位で部分的に反転することによってエネルギ拡散し、エネルギ拡散処理が施された送信データを外符号化部１０６へ出力する。但し、ＰＲＢＳ系列のデータは生成多項式Ｇ（ｘ）＝ｘ15＋ｘ14＋１に従って生成され、８パケット毎にＰＲＢＳ系列のデータは初期化される。【００６９】
＜外符号化部１０６＞
外符号化部１０６は、エネルギ拡散部１０５から入力されるエネルギ拡散処理が施された送信データをパケット毎にＲＳ符号によって符号化する。そして、外符号化部１０６は、符号化によって得られた２０４バイトの送信データ（エネルギ拡散処理が施された１８８バイトの送信データの後に１６バイトのパリティに係るデータを付加した２０４バイトの送信データ）をパケットとして再構成して外インタリーバ１０７へ出力する。【００７０】
＜外インタリーバ１０７＞
外インタリーバ１０７は、外符号化部１０６から入力されるＲＳ符号によって符号化された送信データを、バイト幅で深さＩ＝１２の畳み込みインタリーブし、畳み込みインタリーブ処理が施された送信データを内符号化部１０８へ出力する。【００７１】
＜内符号化部１０８＞
内符号化部１０８は、外インタリーバ１０７から入力される畳み込みインタリーブ処理が施された送信データを、生成多項式がＧ1＝１７１OCT及びＧ2＝１３３OCTである畳み込み符号によって符号化する。そして、内符号化部１０８は、畳み込み符号化された送信データをパンクチャリングしながら（間引きながら）、内インタリーバ１０９へ出力する。このようにして、内符号化部１０８は、符号化率が可変なパンクチャド畳み込み符号化を行う。【００７２】
＜内インタリーバ１０９＞
内インタリーバ１０９は、内符号化部１０４から入力されるパンクチャド畳み込み符号化された送信データと内符号化部１０８から入力されるパンクチャド畳み込み符号化された送信データとを２段階でインタリーブし、インタリーブ処理が施された送信データをマッピング部１１２へ出力する。但し、内インタリーバ１０９による１段階目のインタリーブは、ビット幅インタリーブと称され、データをビット幅でインタリーブするものである。また、内インタリーバ１０９による２段階目のインタリーブは、シンボルインタリーブと称され、ビット幅インタリーブ処理が施された送信データを、複数ビットずつまとめたものをシンボルとして、シンボル単位でインタリーブするものである。但し、ここでいうシンボルとは、マッピング部１１２で変調シンボルを生成する単位である。【００７３】
＜ＴＰＳ信号生成部１１０＞
ＴＰＳ信号生成部１１０は、伝送パラメータ情報を含むＴＰＳブロックｓ0〜ｓ67を生成し、生成したＴＰＳブロックｓ0〜ｓ67の内容の並び替えを所定の規則に基づいて行い、並び替えの結果得られたＴＰＳブロックｓ”0〜ｓ67”をマッピング部１１２へ出力する。なお、所定の規則に基づくバイナリデータの並び替えは後述するローテーション部１５２及びパーミュテーション部１５３によって行われる。【００７４】
以下、図２のＴＰＳ信号生成部１１０の構成について図３を参照しつつ説明する。図３は図２のＴＰＳ信号生成部１１０の構成図である。【００７５】
ＴＰＳ信号生成部１１０は、ＴＰＳブロック生成部１５１と、ローテーション部１５２と、パーミュテーション部１５３とを有する。【００７６】
［ＴＰＳブロック生成部１５１］
ＴＰＳブロック生成部１５１は、１ビットの初期化ビットｓ0、１６ビットの同期ワードｓ1〜ｓ16、送信装置１００において設定された３７ビットの伝送パラメータ情報ｓ17〜ｓ53、及び誤り保護のための１４ビットの冗長符号ｓ54〜ｓ67からなる６８ビットのＴＰＳブロックｓ0〜ｓ67を生成し、生成したＴＰＳブロックｓ0〜ｓ67をローテーション部１５２へ出力する。なお、初期化ビットｓ0、同期ワードｓ1〜ｓ16、伝送パラメータ情報ｓ17〜ｓ53、及び冗長符号ｓ54〜ｓ67の各内容は上述した通りである。【００７７】
但し、ＴＰＳブロック生成部１５１は、同一フレーム内では同一内容の伝送パラメータ情報ｓ17〜ｓ53を生成する。また、ＴＰＳブロック生成部１５１は、同一フレーム内でも同期ワードｓ1〜ｓ16が交番するように同期ワードｓ1〜ｓ16を生成する。なお、１６Ｋモード及び３２Ｋモードでは、同期ワードｓ1〜ｓ16は同一ＯＦＤＭシンボル内で交番する。【００７８】
［ローテーション部１５２］
ローテーション部１５２は、ＴＰＳブロック生成部１５１から入力されるＴＰＳブロックｓ0〜ｓ67の内容を下記の（数２）に従ってその一部の夫々で又はその全部で巡回的にビットシフトすることによって並び替え、並び替えの結果得られたＴＰＳブロックｓ’0〜ｓ’67をパーミュテーション部１５３へ出力する。【００７９】
【数２】
2008149510.tif 000006
【００８０】
但し、（数２）において、ｉはＴＰＳブロック生成部１５１から入力されるＴＰＳブロックｓ0〜ｓ67内のビット位置を示し、ｎ’は巡回シフトするビット数を示す。また、Ｒ（ｉ，ｎ’）は並び替えの規則を表す。【００８１】
並び替えの規則Ｒ（ｉ，ｎ’）は伝送モードに応じて用意されている。２Ｋモードの並び替えの規則Ｒ（ｉ，ｎ’）は下記の（数３）で表され、４Ｋモードの並び替えの規則Ｒ（ｉ，ｎ’）は下記の（数４）で表され、８Ｋモード、１６Ｋモード及び３２Ｋモード並び替えの規則Ｒ（ｉ，ｎ’）は下記の（数５）で表される。【００８２】
【数３】
2008149510.tif 000007
【００８３】
【数４】
2008149510.tif 000008
【００８４】
【数５】
2008149510.tif 000009
【００８５】
但し、（数３）、（数４）及び（数５）において、ｉはＴＰＳブロック生成部１５１から入力されるＴＰＳブロックｓ0〜ｓ67内のビット位置を示し、ｎ’は巡回シフトするビット数を示し、ｍｏｄは剰余演算である。ビット数ｎ’はフレームの先頭で初期化される。【００８６】
（数３）におけるビット数ｎ’は、４ＯＦＤＭシンボル毎に１インクリメントされ、例えば、シンボル番号０〜３のＯＦＤＭシンボルで伝送されるＴＰＳブロックｓ0〜ｓ67では０、シンボル番号４〜７のＯＦＤＭシンボルで伝送されるＴＰＳブロックｓ0〜ｓ67では１、シンボル番号８〜１１のＯＦＤＭシンボルで伝送されるＴＰＳブロックｓ0〜ｓ67では２である。【００８７】
（数４）におけるビット数ｎ’は、２ＯＦＤＭシンボル毎に１インクリメントされ、例えば、シンボル番号０〜１のＯＦＤＭシンボルで伝送されるＴＰＳブロックｓ0〜ｓ67では０、シンボル番号２〜３のＯＦＤＭシンボルで伝送されるＴＰＳブロックｓ0〜ｓ67では１、シンボル番号３〜４のＯＦＤＭシンボルで伝送されるＴＰＳブロックｓ0〜ｓ67では３である。【００８８】
（数５）におけるビット数ｎ’はＯＦＤＭシンボル毎に１インクリメントされ、例えば、シンボル番号０のＯＦＤＭシンボルで伝送されるＴＰＳブロックｓ0〜ｓ67では０、シンボル番号１のＯＦＤＭシンボルで伝送されるＴＰＳブロックｓ0〜ｓ67では１、シンボル番号２のＯＦＤＭシンボルで伝送されるＴＰＳブロックｓ0〜ｓ67では２である。【００８９】
ここで、（数３）、（数４）及び（数５）に示した並び替えの規則Ｒ（ｉ，ｎ’）について説明する。【００９０】
（数３）に示した２Ｋモードに関する並び替えの規則Ｒ（ｉ，ｎ’）は、１ＯＦＤＭシンボルで伝送されるバイナリデータの数が１７であることを考慮し、ＴＰＳブロックｓ0〜ｓ67を４つに分割した１７ビットの各サブブロック（以下、１つのＯＦＤＭシンボルで伝送されるサブブロックを「ＴＰＳサブブロック」と言う。）ｓ0〜ｓ16、ｓ17〜ｓ33、ｓ34〜ｓ50、ｓ51〜ｓ67でバイナリデータを巡回シフトするようになっており、各ＴＰＳサブブロックの並び替えの規則は互いに同じになっている。この規則では、ＴＰＳブロックｓ0〜ｓ67を伝送する４ＯＦＤＭシンボル内でＯＦＤＭシンボルをまたいでのバイナリデータの並び替えが起こらない。【００９１】
（数４）に示した４Ｋモードに関する並び替えの規則Ｒ（ｉ，ｎ’）は、１ＯＦＤＭシンボルで伝送されるバイナリデータの数が３４であることを考慮し、ＴＰＳブロックｓ0〜ｓ67を２つに分割した３４ビットの各ＴＰＳサブブロックｓ0〜ｓ33、ｓ34〜ｓ67でバイナリデータを巡回シフトするようになっており、各ＴＰＳサブブロックの並び替えの規則は互いに同じになっている。この規則では、ＴＰＳブロックｓ0〜ｓ67を伝送する２ＯＦＤＭシンボル内でＯＦＤＭシンボルをまたいでのバイナリデータの並び替えが起こらない。【００９２】
（数５）に示した８Ｋモード、１６Ｋモード及び３２Ｋモードに関する並び替えの規則Ｒ（ｉ，ｎ’）は、１ＯＦＤＭシンボルで伝送されるバイナリデータの数が６８、１３６及び２７２であることを考慮し、ＴＰＳブロックｓ0〜ｓ67を分割することなく、ＴＰＳブロックｓ0〜ｓ67でバイナリデータを巡回シフトするようになっている。【００９３】
［パーミュテーション部１５３］
パーミュテーション部１５３は、ローテーション部１５２から入力されるＴＰＳブロックｓ’0〜ｓ’67の内容を下記の（数６）に従って擬似的にランダムに並び替え、並び替えの結果得られたＴＰＳブロックｓ”0〜ｓ”67をマッピング部１１２へ出力する。【００９４】
【数６】
2008149510.tif 000010
【００９５】
但し、（数６）において、ｉはローテーション部１５２から入力されるＴＰＳブロックｓ’0〜ｓ’67内のビット位置を示し、Ｐ（ｉ）は並び替えの規則を表す。【００９６】
並び替えの規則Ｐ（ｉ）は、下記の（数７）に示すように、２段階の並び替えの規則からなる。【００９７】
【数７】
2008149510.tif 000011
【００９８】
但し、（数７）において、ｉはローテーション部１５２から入力されるＴＰＳブロックｓ’0〜ｓ’67内のビット位置を示す。【００９９】
（数７）における１段階目の並び替えの規則Ｐ1（ｉ）は、各伝送モードで共通であり、下記の（数８）で表される。【０１００】
【数８】
2008149510.tif 000012
【０１０１】
但し、（数８）において、ｉはローテーション部１５２から入力されるＴＰＳブロックｓ’0〜ｓ’67内のビット位置を示し、Ｐ0（ｉ）は並び替えの規則を表す。（数８）は１７ビット毎に並び替えの規則Ｐ0（ｉ）に従ってＴＰＳブロックｓ’0〜ｓ’67の内容を並び替えることに相当する。１７ビットの並び替えの規則Ｐ0（ｉ）の一例を下記の（表３）に示す。【０１０２】
【表３】
2008149510.tif 000013
【０１０３】
なお、１段階目の並び替えの規則Ｐ1（ｉ）は、２Ｋモードにおける１ＯＦＤＭシンボルで伝送されるバイナリデータの数が１７であることを考慮し、ＴＰＳブロックｓ0〜ｓ67を４つに分割した１７ビットの各サブブロックｓ0〜ｓ16、ｓ17〜ｓ33、ｓ34〜ｓ50、ｓ51〜ｓ67でバイナリデータを擬似的にランダムに並び替えるようになっており、各サブブロックの並び替えの規則は互いに同じになっている。この規則では、２Ｋモード又は４ＫモードにおいてＴＰＳブロックｓ0〜ｓ67を伝送する４ＯＦＤＭシンボル又は２ＯＦＤＭシンボル内でＯＦＤＭシンボルをまたいでのバイナリデータの並び替えが起こらない。【０１０４】
２段階目の並び替えの規則Ｐ2（ｉ）は、各伝送モードで共通ではなく、２Ｋモードでは下記の（数９）で表され、４Ｋモードでは下記の（数１０）で表され、８Ｋモード、１６Ｋモード及び３２Ｋモードでは下記の（数１１）で表される。【０１０５】
【数９】
2008149510.tif 000014
【０１０６】
【数１０】
2008149510.tif 000015
【０１０７】
【数１１】
2008149510.tif 000016
【０１０８】
但し、（数９）、（数１０）及び（数１１）において、ｉは上記の（数８）で表される１段階目の並び替えの規則で得られる値である。【０１０９】
２Ｋモードの場合、１段階目の並び替えの規則は、ＴＰＳブロックｓ’0〜ｓ’67の各ＴＰＳサブブロックｓ’0〜ｓ’16、ｓ’17〜ｓ’33、ｓ’34〜ｓ’50、ｓ’51〜ｓ’67の内容をＴＰＳサブブロック全体に亘って擬似的にランダムに並び替える規則になっている。このため、（数９）に示した２Ｋモードに関する並び替えの規則Ｐ2（ｉ）は、ＴＰＳブロックｓ’0〜ｓ’67の内容を新たに並び替えない並び替えの規則になっている。【０１１０】
４Ｋモードの場合、１段階目の並び替えの規則は、ＴＰＳブロックｓ’0〜ｓ’67の各ＴＰＳサブブロックｓ’0〜ｓ’33、ｓ’34〜ｓ’67の内容をＴＰＳサブブロック全体に亘って擬似的にランダムに並び替える規則になっていない。（数１０）に示した４Ｋモードに関する並び替えの規則Ｐ2（ｉ）は、各ＴＰＳサブブロックｓ’0〜ｓ’33、ｓ’34〜ｓ’67の内容をＴＰＳサブブロック全体に亘って擬似的にランダムに並び替えを行いながら、ＴＰＳサブブロックｓ’0〜ｓ’33、ｓ’34〜ｓ’67をまたいでバイナリデータの並び替えが起こらない規則になっている。【０１１１】
８Ｋモード、１６Ｋモード及び３２Ｋモードの場合、１段階目の並び替えの規則は、ＴＰＳブロックｓ’0〜ｓ’67の内容をＴＰＳブロック全体に亘って擬似的にランダムに並び替える規則になっていない。（数１１）に示した８Ｋモード、１６Ｋモード及び３２Ｋモードに関する並び替えの規則Ｐ2（ｉ）は、ＴＰＳブロックｓ’0〜ｓ’67の内容をＴＰＳブロック全体に亘って擬似的にランダムに並び替える規則になっている。【０１１２】
なお、並び替えの規則Ｐ（ｉ）は、ＯＦＤＭシンボル内でＴＰＳサブブロック又はＴＰＳブロックの内容の並び替えを行い、各ＯＦＤＭシンボル間で互いに並び替えの規則が同じである規則になっている。【０１１３】
＜パイロット生成部１１１＞
パイロット生成部１１１は、それらが伝送されるキャリアのキャリア番号ｋに対応するＰＲＢＳ系列ｗkに従ってＳＰ信号とＣＰ信号とを生成し、生成したＳＰ信号とＣＰ信号とをマッピング部１１２へ出力する。【０１１４】
＜マッピング部１１２＞
マッピング部１１２は、内インタリーバ１０９から入力される送信データに従って変調シンボルを生成し、生成した変調シンボルをフレーム適合部１１３へ出力する。送信データに基づく変調シンボルは、ＱＰＳＫ（Quadrature Phase Shift Keying）、１６ＱＡＭ（Quadrature Amplitude Modulation）、６４ＱＡＭ、非均一１６ＱＡＭ、及び非均一６４ＱＡＭの何れかのコンステレーションに属する複素数値にマッピングされたものである。【０１１５】
更に、マッピング部１１２は、パイロット生成部１１１から入力されるＳＰ信号及びＣＰ信号に従って変調シンボルを生成し、生成した変調シンボルをフレーム適合部１１３へ出力する。ＳＰ信号及びＣＰ信号に基づく変調シンボルは、ＢＰＳＫ（Binary Phase Shift Keying）のコンステレーションに属するブーストされたパワーレベルの複素数値にマッピングされたものである。なお、ＳＰ信号及びＣＰ信号の変調シンボルは下記の（数１２）によって与えられる。【０１１６】
【数１２】
2008149510.tif 000017
【０１１７】
但し、（数１２）において、ｍはフレーム番号、ｎはシンボル番号、ｋはキャリア番号を表す。ｃm,n,kは、フレーム番号ｍ、シンボル番号ｎ及びキャリア番号ｋのセルに割り当てられる複素数値（変調シンボル）を表し、ｗkはキャリア番号ｋに対応するＰＲＢＳ系列のデータを表す。Ｒｅ｛  ｝は実数部を表す演算子であり、Ｉｍ｛  ｝は虚数部を表す演算子である。【０１１８】
更に、マッピング部１１２は、ＴＰＳ信号生成部１１０から入力されるＴＰＳブロックｓ”0〜ｓ”67を構成するバイナリデータの各々をＤＢＰＳＫ変調に従う複素数値にマッピングすることによって変調シンボルを生成し、生成した変調シンボルをフレーム適合部１１３へ出力する。【０１１９】
以下に、マッピング部１１２によるＴＰＳブロックｓ”0〜ｓ”67に対するマッピング処理の詳細を説明する。【０１２０】
マッピング部１１２は、フレーム内のシンボル番号ｎかつキャリア番号ｋTPS（ｊ）のセルで伝送されるＴＰＳブロックｓ”0〜ｓ”67を構成するバイナリデータｓ”Q(j,n)を、２Ｋモードの場合には下記の（数１３）に従って、４Ｋモードの場合には下記の（数１４）に従って、８Ｋモード、１６Ｋモード及び３２Ｋモードの場合には下記の（数１５）に従って決定する。【０１２１】
【数１３】
2008149510.tif 000018
【０１２２】
【数１４】
2008149510.tif 000019
【０１２３】
【数１５】
2008149510.tif 000020
【０１２４】
但し、（数１３）、（数１４）、（数１５）において、ｎはフレーム内のシンボル番号、ｊはＴＰＳキャリアのＴＰＳキャリアインデックス、Ｑ（ｊ，ｎ）はＴＰＳブロックを構成するバイナリデータｓ”Q(j,n)をフレームを構成するセルに割り当てる関数である。【０１２５】
なお、２Ｋモードでは、（数１３）により、１つのＴＰＳブロックｓ”0〜ｓ”67は連続する４つのＯＦＤＭシンボルで伝送される。そして、ＴＰＳサブブロックｓ”0〜ｓ”16はシンボル番号０、４、８、・・・のＯＦＤＭシンボルで伝送され、ＴＰＳサブブロックｓ”17〜ｓ”33はシンボル番号１、５、９、・・・のＯＦＤＭシンボルで伝送され、ＴＰＳサブブロックｓ”34〜ｓ”50はシンボル番号２、６、１０、・・・のＯＦＤＭシンボルで伝送され、ＴＰＳサブブロックｓ”51〜ｓ”67はシンボル番号３、７、１１、・・・のＯＦＤＭシンボルで伝送される。【０１２６】
また、４Ｋモードでは、（数１４）により、１つのＴＰＳブロックｓ”0〜ｓ”67は連続する２つのＯＦＤＭシンボルで伝送される。そして、ＴＰＳサブブロックｓ”0〜ｓ”33はシンボル番号０、２、４、・・・のＯＦＤＭシンボルで伝送され、ＴＰＳサブブロックｓ”34〜ｓ”67はシンボル番号１、３、５、・・・のＯＦＤＭシンボルで伝送される。【０１２７】
さらに、８Ｋモードでは、（数１４）により、１つのＴＰＳブロックｓ”0〜ｓ”67は１つのＯＦＤＭシンボルで伝送され、１つのＯＦＤＭシンボルでは１つのＴＰＳブロックｓ”0〜ｓ”67が伝送される。また、１６Ｋモードでは、（数１４）により、１つのＴＰＳブロックｓ”0〜ｓ”67は１つのＯＦＤＭシンボルで伝送され、１つのＯＦＤＭシンボルでは２つのＴＰＳブロックｓ”0〜ｓ”67が伝送される。さらに、３２Ｋモードでは、（数１４）により、１つのＴＰＳブロックｓ”0〜ｓ”67は１つのＯＦＤＭシンボルで伝送され、１つのＯＦＤＭシンボルでは４つのＴＰＳブロックｓ”0〜ｓ”67が伝送される。【０１２８】
マッピング部１１２は、初期化ビットｓ0以外では、シンボル番号ｎ且つキャリア番号ｋTPS（ｊ）のセルで伝送されるＴＰＳブロックｓ”0〜ｓ”67を構成するバイナリデータｓ”Q(j,n)を下記の（数１６）に示すようにＤＢＰＳＫ変調に従う複素数値にマッピングする。【０１２９】
【数１６】
2008149510.tif 000021
【０１３０】
但し、（数１６）において、ｍはフレーム番号、ｎはシンボル番号、ｊはＴＰＳキャリアのＴＰＳキャリアインデックス、ｋTPS（ｊ）はキャリア番号を表す。ｃm,n,kTPS(j)（ここでは、ｋTPS（ｊ）をｋＴＰＳ（ｊ）と表記する。）は、フレーム番号ｍ、シンボル番号ｎ及びキャリア番号ｋTPS（ｊ）のセルに割り当てられる複素数値（変調シンボル）を表す。Ｒｅ｛  ｝は実数部を表す演算子であり、Ｉｍ｛  ｝は虚数部を表す演算子である。【０１３１】
また、マッピング部１１２は、初期化ビットｓ0では、シンボル番号ｎ且つキャリア番号ｋTPS（ｊ）のセルで伝送されるＴＰＳブロックｓ”0〜ｓ”67を構成するバイナリデータｓ”Q(j,n)を下記の（数１７）に示すようにＤＢＰＳＫ変調に従う複素数値にマッピングする。【０１３２】
【数１７】
2008149510.tif 000022
【０１３３】
但し、（数１７）において、ｍはフレーム番号、ｎはシンボル番号、ｊはＴＰＳキャリアのＴＰＳキャリアインデックス、ｋTPS（ｊ）はキャリア番号を表す。ｃm,n,kTPS(j)（ここでは、ｋTPS（ｊ）をｋＴＰＳ（ｊ）と表記する。）は、フレーム番号ｍ、シンボル番号ｎ及びキャリア番号ｋTPS（ｊ）のセルに割り当てられる複素数値（変調シンボル）を表す。ｗkTPS(j)（ここでは、ｋTPS（ｊ）をｋＴＰＳ（ｊ）と表記する。）は、ｋ＝ｋTPS（ｊ）としてＳＰ信号及びＣＰ信号を変調するＰＲＢＳ系列ｗkを利用する。【０１３４】
＜フレーム適合部１１３＞
フレーム適合部１１３は、フレームを構成する各々のセルにマッピング部１１２から入力される各変調シンボルを割り当てることによってそれらを伝送するためのフレームを構成し、構成したフレームに係るフレーム信号をＯＦＤＭ変調部１１４へ出力する。【０１３５】
＜ＯＦＤＭ変調部１１４＞
ＯＦＤＭ変調部１１４は、ＯＦＤＭシンボル毎に、フレーム適合部１１３から入力されるフレーム信号に含まれる各キャリアに対応するセルに割り当てられた変調シンボル（複素数値）に従って各キャリアを変調して多重し、これによって有効期間ＴUの変調信号を生成する。但し、ＯＦＤＭ変調部１１４における変調及び多重処理は、逆フーリエ変換を用いて変調信号を周波数領域から時間領域に変換することによって行われる。なお、ＯＦＤＭ変調部１１４における変調及び多重処理に逆高速フーリエ変換を用いることができる。【０１３６】
＜ガードインターバル挿入部１１５＞
ガードインターバル挿入部１１５は、ＯＦＤＭ変調部１１４から入力される有効期間ＴUの変調信号に基づいてガードインターバル部分に挿入するガード期間Δの信号（以下、「ガード期間信号」と言う。）を生成する。そして、ガードインターバル挿入部１１５は、ガード期間信号が付加された変調信号（以下、「ＯＦＤＭ信号」と言う。）をＤ／Ａ変換部１１６へ出力する。【０１３７】
但し、ガードインターバル部分に挿入される信号は、ＯＦＤＭ変調部１１４が生成した有効期間ＴUの変調信号を周期的に連続に繰り返した信号のガードインターバル部分に対応する信号である。具体的な例を記載すると、ガードインターバル部分に挿入される信号は、ＯＦＤＭ変調部１１４が生成した有効期間ＴUの変調信号のうちの後ろ部分のガード期間Δ分の信号である。【０１３８】
＜Ｄ／Ａ変換部１１６＞
Ｄ／Ａ変換部１１６は、ガードインターバル挿入部１１５から入力されるＯＦＤＭ信号をデジタル信号からアナログ信号に変換し、アナログ信号に変換されたＯＦＤＭ信号をフロントエンド部１１７へ出力する。【０１３９】
＜フロントエンド部１１７＞
フロントエンド部１１７は、Ｄ／Ａ変換部１１６から入力されるアナログ信号に変換されたＯＦＤＭ信号を送信周波数帯域に周波数変換し、周波数変換により得られた送信周波数帯域のＯＦＤＭ信号を増幅する。増幅された送信周波数帯域のＯＦＤＭ信号はアンテナ１１８から送信される。【０１４０】
アンテナ１１８から送信されるＯＦＤＭ信号は下記の（数１８）に示すものとなる。【０１４１】
【数１８】
2008149510.tif 000023
【０１４２】
但し、（数１８）において、ｔは時間、ｓ（ｔ）はアンテナ１１８から送信されるＯＦＤＭ信号である。ｋはキャリア番号、ｎはシンボル番号、ｍはフレーム番号を表す。Ｋmaxの値は伝送モードに依存し、Ｋmin及びＫmaxは例えば上述した値である。ＴSはＯＦＤＭシンボルの期間、ＴUはキャリア間隔の逆数（有効期間）、Δはガード期間である。ｆCはＲＦ（Radio Frequency）の中心周波数である。ｋ’は中心周波数からの相対的なキャリアインデックスであって、ｋ’＝ｋ−（Ｋmin＋Ｋmax）／２である。Ｃm,n,kはフレーム番号ｍ、シンボル番号ｎ及びキャリア番号ｋのセルに割り当てられた複素数値（変調シンボル）を表す。【０１４３】
≪送信装置の動作≫
以下、図２及び図３を参照しつつ構成を説明した送信装置の動作について説明する。【０１４４】
送信装置１００に入力された第１系統のトランスポートストリーム（送信データ）は、エネルギ拡散部１０１、外符号化部１０２、外インタリーバ１０３、及び内符号化部１０４によって順次所定の処理が施される。並列して、送信装置１００に入力された第２系統のトランスポートストリーム（送信データ）は、エネルギ拡散部１０５、外符号化部１０６、外インタリーバ１０７、及び内符号化部１０８によって順次所定の処理が施される。そして、内符号化部１０４から出力される送信データ及び内符号化部１０８から出力される送信データは内インタリーバによってインタリーブされ、インタリーブが施された送信データはマッピング部１１２に供給される。【０１４５】
ＴＰＳ信号生成部１１０において、ＴＰＳブロック生成部１５１は順次ＴＰＳブロックｓ0〜ｓ67を生成する。ローテーション部１５２はＴＰＳブロック生成部１５１によって順次生成されたＴＰＳブロックｓ0〜ｓ67の内容を上述した所定の規則に従って並び替え、続いて、パーミュテーション部１５３は並び替えによって得られたＴＰＳブロックｓ’0〜ｓ’67の内容を上述した所定の規則に従って更に並び替え、並び替えによって得られたＴＰＳブロックｓ”0〜ｓ”67はマッピング部１１２に供給される。【０１４６】
パイロット生成部１１１はＳＰ信号とＣＰ信号とを生成し、生成されたＳＰ信号とＣＰ信号とはマッピング部１１２に供給される。【０１４７】
マッピング部１１２は、内インタリーバ１０９から供給される送信データと、ＴＰＳ信号生成部１１０から供給されるＴＰＳブロックｓ”0〜ｓ”67を構成するバイナリデータと、パイロット生成部１１１から入力されるＳＰ信号及びＣＰ信号とに対してマッピング処理を施し、マッピング処理によって生成した変調シンボルはフレーム適合部１１３に供給される。【０１４８】
フレーム適合部１１３は、フレームを構成する各々のセルにマッピング部１１２から供給される各変調シンボルを割り当て、ＯＦＤＭ変調部１１４は、各キャリアに対応するセルに割り当てられた変調シンボルに従って各キャリアを変調して多重することによって有効期間ＴUの変調信号を生成する。ガードインターバル挿入部１１５は、ＯＦＤＭ変調部１１４によって生成された有効期間ＴUの変調信号にガード期間Δの信号（ガード期間信号）を付加する。【０１４９】
ガードインターバル挿入部１１５から出力されるガード期間信号が付加された変調信号（ＯＦＤＭ信号）は、Ｄ／Ａ変換部１１６及びフロントエンド部１１７によって所定の処理が施される。所定の処理が施されたＯＦＤＭ信号はフロントエンド部１１７からアンテナ１１８を介して送信される。【０１５０】
≪受信装置の構成≫
以下、本発明の実施の形態の受信装置の構成について図４を参照しつつ説明する。図４は本実施の形態の受信装置の装置構成図である。【０１５１】
受信装置２００は、アンテナ２０１と、フロントエンド部２０２と、Ａ／Ｄ変換部２０３と、ＡＦＣ部２０４と、シンボル同期部２０５と、ＯＦＤＭ復調部２０６と、ＴＰＳ復調部２０７と、フレーム同期部２０８と、ＴＰＳ復号部２０９と、等化部２１０と、デマッピング部２１１と、内デインタリーバ２１２と、内復号部２１３と、外デインタリーバ２１４と、外復号部２１５と、エネルギ拡散部２１６と、内復号部２１７と、外デインタリーバ２１８と、外復号部２１９と、エネルギ拡散部２２０とを備える。【０１５２】
＜フロントエンド部２０２＞
送信装置１００から送信されたＯＦＤＭ信号は、アンテナ２０１によって受信され、フロントエンド部２０２に入力される。フロントエンド部２０２は、アンテナ２０１から入力されるＯＦＤＭ信号を送信周波数帯域からベースバンド帯域へ周波数変換し、ベースバンド帯域のＯＦＤＭ信号をＡ／Ｄ変換部２０３へ出力する。【０１５３】
＜Ａ／Ｄ変換部２０３＞
Ａ／Ｄ変換部２０３は、フロントエンド部２０２から入力されるＯＦＤＭ信号を所定の標本化周波数でサンプリングしてアナログ信号からデジタル信号に変換し、デジタル信号に変換されたＯＦＤＭ信号をＡＦＣ部２０４へ出力する。【０１５４】
＜ＡＦＣ部２０４＞
ＡＦＣ部２０４は、自動周波数制御を行うブロックであって、Ａ／Ｄ変換部２０３から入力されるＯＦＤＭ信号の周波数のずれを補正し、周波数のずれが補正されたＯＦＤＭ信号をシンボル同期部２０５とＯＦＤＭ復調部２０６とへ出力する。【０１５５】
＜シンボル同期部２０５＞
シンボル同期部２０５は、ＡＦＣ部２０４から入力されるＯＦＤＭ信号を構成しているＯＦＤＭシンボルの周期を検出し、受信装置２００全体のシンボル同期を確立する。【０１５６】
＜ＯＦＤＭ復調部２０６＞
ＯＦＤＭ復調部２０６は、ＯＦＤＭシンボル毎に、ＡＦＣ部２０４から入力されるＯＦＤＭ信号に含まれる複数のキャリアで伝送された変調信号を検波して、複素数値で表される検波シンボルをＴＰＳ復調部２０７と等化部２１０とへ出力する。但し、ＯＦＤＭ復調部２０６における検波処理は、シンボル同期部２０５によるシンボル同期の確立結果に基づいてＯＦＤＭ信号から有効期間ＴU分の信号を切り出し、フーリエ変換を用いて切り出した有効期間ＴU分の信号を時間領域から周波数領域に変換することによって行われる。なお、ＯＦＤＭ復調部２０６における検波処理に高速フーリエ変換を用いることができる。【０１５７】
＜ＴＰＳ復調部２０７＞
ＴＰＳ復調部２０７は、図５に示すように、ＤＢＰＳＫ復調部２３１と、逆パーミュテーション部２３２とを有する。【０１５８】
［ＤＢＰＳＫ復調部２３１］
ＤＢＰＳＫ復調部２３１は、ＯＦＤＭ復調部２０６から入力される検波シンボルからＴＰＳキャリア（伝送モードに応じて定まるＴＰＳを伝送するキャリア番号のキャリア）で伝送されている検波シンボルを抽出する。そして、ＤＢＰＳＫ復調部２３１は、ＴＰＳキャリア毎に抽出した検波シンボルをシンボル時間方向にＤＢＰＳＫ復調し、ＤＢＰＳＫ復調の結果得られたバイナリデータを逆パーミュテーション部２３２へ出力する。【０１５９】
［逆パーミュテーション部２３２］
逆パーミュテーション部２３２は、伝送モードに対応した送信装置１００のパーミュテーション部１５３が用いる並び替えの規則と逆の並び替えの規則に従って、ＤＢＰＳＫ復調部２３１から入力されるバイナリデータを並び替え、並び替えられたバイナリデータをＴＰＳブロック単位でフレーム同期部２０８とＴＰＳ復号部２０９内の後述する合成部２７１とへ出力する。なお、パーミュテーション部１５３が用いる並び替えの規則は全てのＯＦＤＭシンボルにおいて共通であることから、逆パーミュテーション部２３２はバイナリデータを並び替える対象のＯＦＤＭシンボルのシンボル番号を知らなくてもバイナリデータの並び替えを実行することができる。【０１６０】
但し、逆パーミュテーション部２３２から出力されるＴＰＳブロックは、送信装置１００のローテンション部１５２で巡回的にビットシフトされた状態のＴＰＳブロックに相当する。【０１６１】
また、逆パーミュテーション部２３２は、例えば、２Ｋモードの場合、ＴＰＳブロックとして、例えば、シンボル番号３〜６に係るＴＰＳブロック、シンボル番号４〜７に係るＴＰＳブロック、シンボル番号５〜８に係るＴＰＳブロック、・・・、を順番に出力する。【０１６２】
＜フレーム同期部２０８＞
フレーム同期部２０８は、図５に示すように、同期ワード検出部２５１と、同期保護部２５２とを有する。【０１６３】
［同期ワード検出部２５１］
同期ワード検出部２５１は、逆パーミュテーション部２３２から入力されるＴＰＳブロックから同期ワードの検出を行う。そして、同期ワード検出部２５１は、同期ワードが検出されたＴＰＳブロック内の位置情報と、検出された同期ワードが２種類の交番符号の何れであるかを示す交番情報とを同期保護部２５２へ出力する。【０１６４】
［同期保護部２５２］
同期保護部２５２には同期ワード検出部２５１から位置情報と交番情報とが入力される。同期保護部２５２は位置情報が示すＴＰＳブロック内の同期ワードが検出された位置と交番情報が示す交番符号の種類とに基づいてフレーム同期再生を行い、フレーム同期信号をＴＰＳ復号部２０９内の後述する逆ローテーション部２７３と受信装置２００の所定の各部へ出力する。【０１６５】
以下、同期保護部２５２の処理内容の詳細を記載する。【０１６６】
上述したように、送信装置１００のローテーション部１５２がＴＰＳブロックｓ0〜ｓ67の内容を巡回シフトするビット数ｎ’はフレーム内のシンボル番号によって定まっている。また、同期ワードは２種類の交番符号である。【０１６７】
同期保護部２５２は、位置情報が示すＴＰＳブロック（逆パーミュテーション部２３２から出力されるＴＰＳブロック）内の同期ワードが検出された位置から当該ＴＰＳブロックの内容が巡回シフトされたビット数ｎ’を判定する。続いて、同期保護部２５２は、判定したビット数ｎ’に基づいてフレーム内における当該ＴＰＳブロックのシンボル位置を特定する。【０１６８】
さらに、同期保護部２５２は、ＴＰＳブロック内の同期ワードの検出位置の変化と検出された同期ワードに係る交番符号の種類の変化を観測して、同期保護を施し、フレーム同期信号をＴＰＳ復号部２０９内の後述する逆ローテーション部２７３と受信装置２００の所定の各部へ出力する。但し、同期保護部２５２は、逆ローテーション部２７３によるＴＰＳブロックの逆ローテーション処理を可能にすべく、ＴＰＳブロックの内容が巡回シフトされたビット数ｎ’を逆ローテーション部２５２へ出力する。【０１６９】
＜ＴＰＳ復号部２０９＞
ＴＰＳ復号部２０９は、図５に示すように、メモリ２７１と、合成部２７２と、逆ローテーション部２７３と、ＢＣＨ復号部２７４とを備える。【０１７０】
［メモリ２７１］
メモリ２７１には、合成部２７２による合成処理の途中結果が記憶される。【０１７１】
［合成部２７２］
合成部２７２は、メモリ２７１に合成処理の途中結果を格納しながら、逆パーミュテーション部２３２から入力される同じ同期ワードを含む複数のＴＰＳブロックを用いて、ＴＰＳブロック生成部１５１によって生成されるＴＰＳブロックで見て同じビットのバイナリデータを合成する処理を実行する。そして、合成部２７２は、合成の結果得られたＴＰＳブロックを逆ローテーション部２７３へ出力する。なお、同期ワードが交番符号であることを用いることによって、逆パーミュテーション部２３２から出力されるＴＰＳブロックにおいて同じ同期ワードを含むＴＰＳブロックを知ることができる。【０１７２】
但し、合成部２７２に入力されるＴＰＳブロックは送信装置１００のローテーション部１５２によるローテーション処理後のＴＰＳブロックに相当し、ＴＰＳブロックの内容をビットシフトするビット数ｎ’は規則的に変化する。言い換えると、ＴＰＳブロック生成部１５１によって生成されるＴＰＳブロックの同じビットの相対的な位置関係は受信装置２００において既知である。このため、合成部２７２はフレーム同期部２０８がフレーム同期を確立する以前からＴＰＳブロックの合成演算を実行することができる。【０１７３】
［逆ローテーション部２７３］
逆ローテーション部２７３は、同期保護部２５２から入力されるフレーム同期信号に従い、同期保護部２５２から入力されるビット数ｎ’を利用して、合成部２７２から入力される合成処理が施されたＴＰＳブロックの内容を、伝送モードに応じた送信装置１００のローテーション部１５２が用いる並び替えの規則と逆の並び替えの規則に従って並び替え、並び替えの結果得られたＴＰＳブロックをＢＣＨ復号部２７４へ出力する。【０１７４】
［ＢＣＨ復号部２７４］
ＢＣＨ復号部２７４は、逆ローテーション部２７３から入力されるＴＰＳブロックの内容に対してＢＣＨ符号に基づく復号（誤り訂正）を行い、復号（誤り訂正）の結果得られた伝送パラメータ情報に基づいて受信装置２００の各部の動作を設定する。但し、伝送パラメータ情報には、コンステレーション（データ伝送キャリアの変調方法）、階層情報、伝送路符号化の符号化率、ガード期間長、伝送モード、セルＩＤが含まれる。なお、ガード期間長或いは伝送モードなどを利用する受信装置の各部は、通常、ガード期間長或いは伝送モードの特定を伝送パラメータ情報を利用せずに既知技術である他の手法によって行う。【０１７５】
＜等化部２１０＞
等化部２１０は、ＯＦＤＭ復調部２０６から入力される検波シンボルからＳＰ信号及びＣＰ信号の何れかを伝送しているキャリアに対応する検波シンボルを抽出し、抽出した検波シンボルに基づいて伝送路の伝達特性を推定する。そして、等化部２１０は、推定した伝送路の伝達特性に基づいて、送信データを伝送しているキャリアに対応する検波シンボルを等化する。【０１７６】
＜デマッピング部２１１＞
デマッピング部２１１は、伝送パラメータ情報に示されるコンステレーションに基づき、等化部２１０から入力される等化処理が施された検波シンボルをデマッピングし、デマッピングにより得られた復調データを内デインタリーバ２１２へ出力する。【０１７７】
＜内デインタリーバ２１２＞
内デインタリーバ２１２は、デマッピング部２１１から入力される復調データを送信装置１００の内インタリーバ１０９によるインタリーブ処理と逆順で並び替える。内デインタリーバ２１２は、伝送パラメータ情報に含まれる階層情報に基づいて並び替えられた復調データを２つの階層に分離し、一方を内復号部２１３へ出力し、他方を内復号部２１７へ出力する。【０１７８】
＜内復号部２１３＞
内復号部２１３は、内デインタリーバ２１２から入力される一方の階層の復調データを内符号である畳み込み符号に基づいて復号（誤り訂正）し、復号（誤り訂正）の結果得られた復号データを外デインタリーバ２１４へ出力する。但し、内復号部２１３による復号処理（誤り訂正処理）は、例えば、ビタビアルゴリズムを用いて行われる。【０１７９】
＜外デインタリーバ２１４＞
外デインタリーバ２１４は、内復号部２１３から入力される復号データを送信装置１００の外インタリーバ１０３によるバイト単位の畳み込みインタリーブ処理の逆順で並び替え、並び替えられた復号データを外復号部２１５へ出力する。【０１８０】
＜外復号部２１５＞
外復号部２１５は、外デインタリーバ２１４から入力される復号データを外符号であるＲＳ符号に基づいて復号（誤り訂正）し、復号（誤り訂正）の結果得られた復号データをエネルギ拡散部２１６へ出力する。【０１８１】
＜エネルギ拡散部２１６＞
エネルギ拡散部２１６は、外復号部２１５から入力される復号データに対して送信装置１００のエネルギ拡散部１０１で施されたエネルギ拡散を解除し、エネルギ拡散の解除によって得られた復号データを第１系統のトンラスポートストリームとして出力する。【０１８２】
＜内符号部２１７＞
内符号部２１７は、内デインタリーバ２１７から入力される他方の階層の復調データを内符号である畳み込み符号に基づいて復号（誤り訂正）し、復号（誤り訂正）の結果得られた復号データを外デインタリーバ２１８へ出力する。但し、内復号部２１７による復号処理（誤り訂正処理）は、例えば、ビタビアルゴリズムを用いて行われる。【０１８３】
＜外デインタリーバ２１８＞
外デインタリーバ２１８は、内復号部２１７から入力される復号データを送信装置１００の外インタリーバ１０７によるバイト単位の畳み込みインタリーブ処理の逆順で並び替え、並び替えられた復号データを外復号部２１９へ出力する。【０１８４】
＜外復号部２１９＞
外復号部２１９は、外デインタリーバ２１８から入力される復号データを外符号であるＲＳ符号に基づいて復号（誤り訂正）し、復号（誤り訂正）の結果得られた復号データをエネルギ拡散部２２０へ出力する。【０１８５】
＜エネルギ拡散部２２０＞
エネルギ拡散部２２０は、外復号部２１９から入力される復号データに対して送信装置１００のエネルギ拡散部１０５で施されたエネルギ拡散を解除し、エネルギ拡散の解除によって得られた復号データを第２系統のトランスポートストリームとして出力する。【０１８６】
≪受信装置の動作≫
以下、図４及び図５を参照しつつ構成を説明した送信装置の動作について説明する。【０１８７】
送信装置１００から送信されたＯＦＤＭ信号はアンテナ２０１によって受信される。アンテナ２０１によって受信されたＯＦＤＭ信号は、フロントエンド部２０２、Ａ／Ｄ変換部２０３及びＡＦＣ部２０４によって順次所定の処理が施された後、シンボル同期部２０５とＯＦＤＭ復調部２０６とへ供給される。【０１８８】
シンボル同期部２０５は、ＡＦＣ部２０４から入力されるＯＦＤＭ信号に基づいて受信装置２００全体のシンボル同期を確立する。【０１８９】
ＯＦＤＭ復調部２０６は、ＯＦＤＭシンボル毎に、ＡＦＣ部２０４から入力されるＯＦＤＭ信号に含まれる複数のキャリアで伝送された変調信号を検波して、複素数値で表される検波シンボルをＴＰＳ復調部２０７と等化部２１０とへ出力する。【０１９０】
ＴＰＳ復調部２０７において、ＤＢＰＳＫ変調部２３１は、ＯＦＤＭ復調部２０６から入力される検波シンボルからＴＰＳキャリアで伝送されている検波シンボルを抽出し、ＴＰＳキャリア毎に抽出した検波シンボルをシンボル時間方向にＤＢＰＳＫ復調する。そして、逆パーミュテーション部２３２は、伝送モードに対応した送信装置１００のパーミュテーション部１５３が用いる並び替えの規則と逆の並び替えの規則に従って、ＤＢＰＳＫ復調されたバイナリデータを並び替え、並び替えられたバイナリデータをＴＰＳブロック単位でフレーム同期部２０８とＴＰＳ復号部２０９とへ出力する。【０１９１】
フレーム同期部２０８において、同期ワード検出部２５１は、逆パーミュテーション部２３２から入力されるＴＰＳブロックから同期ワードの検出を行う。そして、同期保護部２５２は、同期ワード検出部２５１による同期ワードの検出結果（ＴＰＳブロック内の同期ワードが検出された位置と検出された同期ワードの種類）の変化に基づいてフレーム同期再生を行う。【０１９２】
ＴＰＳ復号部２０９において、合成部２７２は、同じ同期ワードを含む複数のＴＰＳブロックを用いて逆パーミュテーション部２３２から入力されるバイナリデータを合成の途中結果をメモリ２７１に格納しながら合成する。逆ローテーション部２７３は、同期保護部２５２から供給されたフレーム同期信号に従って、合成処理が施されたＴＰＳブロックの内容を、伝送モードに応じた送信装置１００のローテーション部１５２が用いる並び替えの規則と逆の並び替えの規則に従って並び替え、並び替えの結果得られたＴＰＳブロックをＢＣＨ復号部２７４へ出力する。ＢＣＨ復号部２７４は、逆ローテーション部２７３による並び替えの処理が施されたＴＰＳブロックの内容に対してＢＣＨ符号に基づく復号（誤り訂正）を行い、復号（誤り訂正）の結果得られた伝送パラメータ情報に基づいて受信装置２００の各部の動作を設定する。【０１９３】
等化部２１０は、ＯＦＤＭ復調部２０６から入力される検波シンボルからＳＰ信号及びＣＰ信号の何れかを伝送しているキャリアに対応する検波シンボルを抽出し、抽出した検波シンボルに基づいて伝送路の伝達特性を推定する。そして、等化部２１０は、推定した伝送路の伝達特性に基づいて、送信データを伝送しているキャリアに対応する検波シンボルを等化する。【０１９４】
等化部２１０によって等化された検波シンボルはデマッピング部２１１によってデマッピングされ、デマッピングの結果得られた復調データは内デインタリーバ２１２によってインタリーブ処理が施された後、一方の階層の復調データは内復号部２１３に供給され、他方の復調データは内復号部２１７へ供給される。【０１９５】
一方の階層の復調データは内復号部２１３によって復号され、復号された復号データは外デインタリーバ２１４、外復号部２１５及びエネルギ拡散部２１６によって順次所定の処理が施された後、エネルギ拡散部２１６から出力される。【０１９６】
他方の階層の復調データは内復号部２１７によって復号され、復号された復号データは外デインタリーバ２１８、外復号部２１９及びエネルギ拡散部２２０によって順次所定の処理が施された後、エネルギ拡散部２２０から出力される。【０１９７】
上述した実施の形態によれば、同期ワード及び伝送パラメータ情報を含むＴＰＳブロックｓ0〜ｓ67を、１つのＯＦＤＭシンボルで複数ビット分伝送し、複数のＴＰＳキャリアからなるキャリア群を用いて繰り返して伝送する。そして、ＴＰＳブロックｓ0〜ｓ67を繰り返して伝送する過程において、ＴＰＳブロックｓ0〜ｓ67を構成する各々のバイナリデータを伝送するＴＰＳキャリアを所定の規則に従って変化させる。【０１９８】
このように、１つのＯＦＤＭシンボルでＴＰＳブロックｓ0〜ｓ67の複数ビット分伝送することによって、１つのＯＦＤＭシンボルでＴＰＳブロックｓ0〜ｓ67の１ビット分伝送する場合に比べて、１つのＴＰＳブロックｓ0〜ｓ67を伝送するために必要なＯＦＤＭシンボルの数を少なくすることができる。この結果、受信装置２００は伝送パラメータ情報等を短時間で取得することができる。【０１９９】
また、ＴＰＳブロックｓ0〜ｓ67の各々のビットは、複数のキャリア及び複数のＯＦＤＭシンボルに分散して繰り返し伝送されているため、周波数方向及び時間方向の双方にダイバーシティ効果を有する。これにより、伝送路の周波数選択性フェージング、伝送路の時間変動及びインパルス雑音に対して伝送パラメータ情報を含むＴＰＳブロックｓ0〜ｓ67の伝送品質の向上を図ることができる。【０２００】
なお、送信装置１００はローテーション部１５２においてＴＰＳブロックｓ0〜ｓ67の各々のビットのバイナリデータと当該バイナリデータを伝送するＴＰＳキャリアとの対応関係を所定の規則に従って順次変化させる。これによって周波数ダイバーシティ効果と時間ダイバーシティ効果との双方を得ることが可能になる。【０２０１】
また、送信装置１００はパーミュテーション部１５３においてローテーション部１５２による並び替えの結果得られたＴＰＳブロックｓ’0〜ｓ’67の内容を擬似的にランダムに並び替える。これによって、ＴＰＳブロックｓ0〜ｓ67の各々のビットのバイナリデータと当該バイナリデータを伝送するＴＰＳキャリアとの対応関係を順次変化させる所定の規則をより複雑な規則にすることができる。これによって、周波数ダイバーシティ効果をより大きくすることが可能になる。【０２０２】
さらに、合成部２７２が伝送路の状況が悪い場合には合成するＴＰＳブロックの数を多くし、伝送路の状況がよい場合には合成するＴＰＳブロックの数を少なくすることによって、伝送パラメータ情報の取得時間を短縮することと伝送品質を向上することとのトレードオフを制御することが可能になる。【０２０３】
≪補足≫
本発明は、上記の実施の形態に限られるものではなく、例えば、次のようなものであってもよい。【０２０４】
（１）上記の実施の形態では、ＤＶＢ−Ｔ方式を例に挙げて説明したが、これに限られるものではなく、上記の実施の形態のＴＰＳブロックの伝送の仕組みの考え方を、例えば、ＩＳＤＢ−Ｔ（Integrated Services Digital Broadcasting Terrestrial）方式に適用してもよい。この場合、ＴＰＳがＴＭＣＣ（Transmission and Multiplexing Configuration Control）信号に置き換わることになる。【０２０５】
（２）上記の実施の形態におけるフレーム構成、ＴＰＳブロックの内容、ＴＰＳブロックのビット数、ＴＰＳキャリアの数、ＴＰＳキャリアの周波数配置は、具体的な一例を示したものに過ぎず、上述したものである必要は必ずしもない。【０２０６】
例えば、制御情報（ＴＰＳブロックに相当）のビット数がＭで、１ＯＦＤＭシンボル当り制御情報の伝送に用いられるキャリアの数がＮである場合に、Ｍ＝Ｎであれば、８Ｋモードと同様の並び替えの規則を適用することができる。また、Ｍ＝ａ×Ｎ（ａは２以上の整数）であれば、２Ｋモード或いは４Ｋモードと同様の並び替えの規則を適用することができる。更に、ｂ×Ｍ＝Ｎ（ｂは２以上の整数）であれば、１６Ｋモード或いは３２Ｋモードと同様の並び替えの規則を適用することができる。【０２０７】
（３）上記の実施の形態におけるＴＰＳブロックｓ0〜ｓ67の内容を並び替える規則は、具体的な一例を示したものに過ぎず、上述した規則である必要は必ずしもない。【０２０８】
例えば、ＴＰＳブロックｓ0〜ｓ67の内容を並び替える規則として、ローテーション部１５２が用いる並び替えの規則のみからなる規則であってもよい。この場合には、送信装置１００ではパーミュテーション部１５３が不要になり、受信装置２００では逆パーミュテーション部２３２が不要になる。【０２０９】
また、ローテーション部１５２が用いるＴＰＳブロックｓ0〜ｓ67の内容の並び替えの規則がバイナリデータを２以上の所定数のビット分シフトさせるものであってもよい。例えば、２Ｋモードにおいて、ＴＰＳブロックを構成するＴＰＳサブブロックの内容を２ビットずつ巡回シフトするようにするなどである。【０２１０】
さらに、パーミュテーション部１５３は（数６）から（数１１）に示す並び替えの規則を用いてＴＰＳブロックｓ’0〜ｓ’67を並び替えているが、パーミュテーション部１５３が用いる並び替えの規則は（数６）から（数１１）に示す並び替えの規則に示す並び替えの規則である必要は必ずしもない。なお、パーミュテーション部１５３による並び替えの規則は全てのＯＦＤＭシンボルにおいて同じであることが好ましい。【０２１１】
なお、送信装置１００におけるＴＰＳブロックｓ0〜ｓ67の内容の並び替えの規則は、ＴＰＳブロックｓ0〜ｓ67の各々のビットのバイナリデータを伝送するＴＰＳキャリアがＴＰＳブロックｓ0〜ｓ67を伝送する数のＯＦＤＭシンボル毎に所定の規則に従って変化するものであることが好ましい。また、１つのＴＰＳブロックｓ0〜ｓ67を２以上のＯＦＤＭシンボルで伝送する場合には、ＴＰＳブロックｓ0〜ｓ67の内容の並び替えの規則は、ＴＰＳブロックｓ0〜ｓ67における各ＴＰＳサブブロックにおいて、ＴＰＳサブブロックが同じＯＦＤＭシンボルで伝送されるような並び替えの規則であり、各ＴＰＳサブブロック間で同じ並び替えの規則であることが好ましい。【０２１２】
（４）上記の実施の形態では、２Ｋモード及び４Ｋモードにおいて、ＴＰＳブロックを連続するビットからなるＴＰＳサブブロックに分割しているが、これに限られるものではなく、ＴＰＳブロックを当該ＴＰＳブロックの任意のビットからなるＴＰＳサブブロックに分割してもよい。例えば、４Ｋモードの場合、ＴＰＳブロックをＴＰＳブロックの奇数ビットからなるＴＰＳサブブロックとＴＰＳブロックの偶数ビットからなるＴＰＳサブブロックに分割するなどである。【０２１３】
（５）上記の実施の形態では、受信装置２００の同期ワード検出部２５１は複数のＴＰＳブロックを合成することなく同期ワードの検出を行うようになっているが、これに限られるものではなく、同期ワードが交番することを考慮して複数のＴＰＳブロックを合成してから同期ワードの検出を行うようにしてもよい。【０２１４】
（６）上記の実施の形態ではＯＦＤＭ伝送を例に挙げて説明したが、これに限られるものではなく、複数のキャリアを用いるマルチキャリア伝送であってもよい。【０２１５】
（７）上記の実施の形態の送信装置及び受信装置の夫々は、典型的には集積回路であるＬＳＩ(Large Scale Integration)として実現されてよい。各回路を個別に１チップとしてもよいし、全ての回路又は一部の回路を含むように１チップ化されてもよい。【０２１６】
ここでは、ＬＳＩとして記載したが、集積度の違いにより、ＩＣ(Integrated Circuit)、システムＬＳＩ、スーパＬＳＩ、ウルトラＬＳＩと呼称されることもある。【０２１７】
また、集積回路化の手法はＬＳＩに限るものではなく、専用回路又は汎用プロセッサで実現してもよい。ＬＳＩ製造後にプログラム化することが可能なＦＰＧＡ（Field Programmable Gate Array）、ＬＳＩ内部の回路セルの接続や設定を再構成可能なリコンフィギュラブル・プロセッサを利用してもよい。【０２１８】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０２１９】
本発明は、伝送パラメータ情報を伝送するデジタル放送方式に利用することができるとともに、携帯電話機、無線ＬＡＮ、電力線通信、ｘＤＳＬなどのデジタル通信などに利用することができる。
【図１】
2008149510.tif 000024
【図２】
2008149510.tif 000025
【図３】
2008149510.tif 000026
【図４】
2008149510.tif 000027
【図５】
2008149510.tif 000028
【手続補正書】
【提出日】平成21年10月20日(2009.10.20)
【手続補正１】
【補正対象書類名】明細書
【補正対象項目名】全文
【補正方法】変更
【補正の内容】
【発明の詳細な説明】
【技術分野】
【０００１】
本発明は、マルチキャリア伝送における伝送パラメータ情報等の送信技術とその受信技術に関する。
【背景技術】
【０００２】
現在、地上デジタルテレビジョン放送に用いられているＯＦＤＭ（Orthogonal Frequency DivisionMultiplexing）伝送方法として、Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅにおいて、ＥＴＳＩ  ＥＮ  ３００  ７４４で標準化された伝送方法がある（非特許文献１参照。）。この標準規格はデジタルビデオ放送の伝送方法を定めたもので、ＤＶＢ−Ｔ（Digital Video BroadcastingTerrestrial）方式と呼ばれる。なお、ＯＦＤＭ伝送方法は、複数のキャリアを夫々デジタル変調して多重伝送するマルチキャリア伝送方法の一つである。
【０００３】
以下、ＤＶＢ−Ｔ方式に基づくＯＦＤＭ伝送方法の概要について説明する。
ＤＶＢ−Ｔ方式には、ＯＦＤＭ伝送に用いるキャリアの数が異なる２Ｋモード、４Ｋモード及び８Ｋモードの３つの伝送モードがあり、２Ｋモード、４Ｋモード及び８Ｋモードで用いられるキャリアの数は夫々１７０５、３４０９及び６８１７である。また、ＤＶＢ−Ｔ方式では、ＯＦＤＭ伝送に基づいてデジタル変調を施す時間単位をＯＦＤＭシンボルとし、６８ＯＦＤＭシンボルで１つのフレームを構成し、さらに４フレーム（２７２ＯＦＤＭシンボル）で１つのスーパーフレームを構成する。
【０００４】
ＤＶＢ−Ｔ方式では、主として映像情報を伝送するメインストリームの他に、伝送パラメータ情報を通知するＴＰＳ（Transmission Parameter Signalling）と、分散パイロット信号（以下、「ＳＰ信号」と言う。）及び連続パイロット信号（以下、「ＣＰ信号」と言う。）の２種類のリファレンス信号とが伝送される。ＤＶＢ−Ｔ方式では、メインストリームの伝送速度及び伝送強度（ｒｏｂｕｓｔｎｅｓｓ）を制御すべく、数パターンの伝送パラメータ情報の設定が可能になっており、伝送パラメータ情報はＴＰＳによって送信装置から受信装置へ通知される。また、受信装置はＳＰ信号及びＣＰ信号に基づいて伝送路の伝達特性を推定可能になっている。
【０００５】
上記のＴＰＳは所定の周波数に配置された複数のキャリアで伝送される。ＴＰＳの伝送に用いられる各キャリアをＴＰＳキャリアと呼び、２Ｋモード、４Ｋモード及び８ＫモードにおけるＴＰＳキャリアの数は夫々１７、３４及び６８である。同じＯＦＤＭシンボルに含まれる複数のＴＰＳキャリアはＤＢＰＳＫ（Differential Binary Phase Shift Keying）変調された伝送パラメータ情報などの同じビットを並列に伝送し、１ＯＦＤＭシンボル当り伝送パラメータ情報などの１ビット分のバイナリデータを伝送する。
【０００６】
伝送パラメータ情報などを伝送する一連のＴＰＳのブロックをＴＰＳブロックと呼び、従来例におけるＴＰＳブロックは１フレーム（６８ＯＦＤＭシンボル）の同じキャリア番号のＴＰＳキャリアで伝送される６８個のＴＰＳからなるブロックである。
ＴＰＳブロックは、１ビットの初期化ビットｓ０、１６ビットの同期ワードｓ１〜ｓ１６、３７ビットの伝送パラメータ情報ｓ１７〜ｓ５３、及び誤り保護のための冗長符号ｓ５４〜ｓ６７からなる６８ビットのバイナリデータで構成される。初期化ビットｓ０は、ＤＢＰＳＫ変調の変調位相の初期化に用いられる。同期ワードｓ１〜ｓ１６は、受信装置においてフレーム同期に用いられ、“００１１０１０１１１１０１１１０”又は“１１００１０１００００１０００１”からなる交番符号である。伝送パラメータ情報ｓ１７〜ｓ５３は、その伝送パラメータ情報ｓ１７〜ｓ５３に含まれる情報の長さ、フレーム番号、コンステレーション（データ伝送キャリアの変調方法）、階層情報、伝送路符号化の符号化率、ＯＦＤＭ伝送のガード期間長、伝送モード、セルＩＤ及び予備ビットを含む。冗長符号ｓ５４〜ｓ６７は、同期ワードｓ１〜ｓ１６と伝送パラメータ情報ｓ１７〜ｓ５３とに対して短縮化ＢＣＨ（６７，５３）符号によって符号化した冗長検査符号であり、受信装置は短縮化ＢＣＨ（６７，５３）符号によって２ビットまでの伝送誤りを訂正することができる。
【０００７】
ＤＶＢ−Ｔ方式における受信装置は、ＴＰＳによって通知される伝送パラメータ情報を取得し、取得した伝送パラメータ情報を基にメインストリームの伝送方法（コンステレーション、階層情報、伝送路符号化の符号化率など）を識別することによって、メインストリームを復調し、復号することができる。メインストリームの復調及び復号にとって伝送パラメータ情報は重要であるため、ＴＰＳの伝送強度は高く設計されている。例えば、ＴＰＳは複数のＴＰＳキャリアでＴＰＳブロックの同じビットを並列に伝送するため、受信装置は複数のＴＰＳキャリアで伝送されるＴＰＳブロックの同じビットを合成して復調することで受信誤りを抑えることができる。また、ＴＰＳは複数のＴＰＳキャリアで伝送されることから、ＴＰＳは周波数ダイバーシティ効果を有し、周波数選択性フェージングに対する強度を有している。
【０００８】
受信装置は同期ワードｓ１〜ｓ１６がフレーム毎に交番することを検出してフレーム同期を確立する。なお、同期ワードｓ１〜ｓ１６を交番符号にすることによってＴＰＳで伝送される他のデータが同期ワードに似ていても誤った位置でフレーム同期が確立されることを防ぐことができる。
また、ＤＶＢ−Ｔ方式をベースにした携帯端末向けの伝送方法として、ＤＶＢ−Ｈ（DigitalVideo Broadcasting Handheld）方式が標準化されている。ＤＶＢ−Ｈ方式は、ＤＶＢ−Ｔ方式の伝送においてメインストリームを間欠的に多重送信し、受信装置はそれを間欠的に受信することによって受信装置の消費電力を抑える伝送方法である。
【先行技術文献】
【非特許文献】
【０００９】
【非特許文献１】ＥＴＳＩ  ＥＮ  ３００  ７４４
【発明の概要】
【発明が解決しようとする課題】
【００１０】
しかしながら、上述したＯＦＤＭ伝送方法では、受信装置がＴＰＳに基づいて伝送パラメータ情報を識別するためには１フレーム以上のＴＰＳの受信を行う必要がある。そして、受信装置は伝送パラメータ情報を識別した後にメインストリームの復調を開始するため、選局開始時などにおいてメインストリームの復調開始に遅延が生じてしまう。同様に、受信装置が同期ワードの交番を検出するためには１フレーム以上の保護期間を要するため、選局開始時などにおいてフレーム同期の確立に遅延が生じてしまう。
【００１１】
また、ＤＶＢ−Ｈ方式のように間欠受信する受信装置であっても、選局開始時や伝送パラメータ情報の再取得時には１フレーム以上の連続受信を行う必要がある。
さらに、ＴＰＳブロックの誤り訂正に用いられる短縮化ＢＣＨ（６７，５３）符号は誤り訂正能力が２ビットまでであるため、伝送路の時間変動やインパルス雑音などによって１フレーム中に３ＯＦＤＭシンボル以上の受信障害が発生すると、受信装置は伝送パラメータ情報を誤って受信してしまう可能性がある。
【００１２】
そこで、本発明は、受信装置における伝送パラメータ情報などの制御情報の短時間での取得或いは伝送パラメータ情報などの制御情報の伝送品質の向上を可能にする送信装置、マルチキャリア伝送方法及び受信装置を提供することを目的とする。
【課題を解決するための手段】
【００１３】
上記目的を達成するために本発明の送信装置は、複数の所定のキャリアからなるキャリア群を含む複数のキャリアをシンボル期間毎に変調し、当該キャリア群を用いて制御情報の伝送を行う送信装置において、１つのシンボル期間において前記制御情報の複数ビット分のバイナリデータを伝送し、前記制御情報を１以上の所定数のシンボル期間で１回伝送する伝送部と、前記制御情報の各々のビットのバイナリデータを伝送するキャリアが前記キャリア群において前記所定数のシンボル期間毎に所定の規則に基づいて変化するように前記伝送部の前記制御情報の伝送を制御する伝送制御部と、を備える。
【００１４】
また、本発明の送信装置は、複数の所定のキャリアからなるキャリア群を含む複数のキャリアをシンボル期間毎に変調し、当該キャリア群を用いて制御情報の伝送を行う送信装置において、１つのシンボル期間において前記制御情報の全ビットのバイナリデータを伝送し、前記制御情報を毎シンボル期間で１回以上伝送する伝送部と、前記制御情報の各々のビットのバイナリデータを伝送するキャリアが前記キャリア群においてシンボル期間毎に所定の規則に基づいて変化するように前記伝送部の前記制御情報の伝送を制御する伝送制御部と、を備える。
【発明の効果】
【００１５】
従来例ではシンボル期間に制御情報（上記のＴＰＳブロックに相当）の１ビット分のバイナリデータの伝送しか行われない。これに対して、上記の各送信装置では、シンボル期間に制御情報の複数ビット分のバイナリデータ又は全ビットのバイナリデータの伝送が行われる。このため、上記の各送信装置によれば、従来例に比べて少ない数のシンボル期間で１つの制御情報の伝送が可能になる。なお、受信装置は送信された制御情報の短時間での取得が可能である。
【００１６】
また、制御情報の各ビットのバイナリデータは複数のシンボル期間に伝送されるとともに伝送に用いられるキャリアを変えながら伝送されるため、制御情報に関して時間ダイバーシティ効果及び周波数ダイバーシティ効果の双方が同時に得られ、制御情報の伝送品質の向上が図られる。
上記の送信装置において、前記所定の規則は、前記制御情報の同じビットのバイナリデータを伝送するキャリアが前記キャリア群において前記所定のシンボル期間毎に巡回的にシフトする規則であるとしてもよく、或いは、前記制御情報の同じビットのバイナリデータを伝送するキャリアが前記キャリア群の全部又は一部においてシンボル期間毎に巡回的にシフトする規則であるとしてもよい。
【００１７】
上記の送信装置によれば、制御情報の伝送品質の向上が図られる。
上記の送信装置において、前記所定の規則は、前記制御情報の同じビットのバイナリデータを伝送するキャリアが前記キャリア群において前記所定のシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則であるとしてもよく、或いは、前記制御情報の同じビットのバイナリデータを伝送するキャリアが前記キャリア群の全部又は一部においてシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則であるとしてもよい。
【００１８】
上記の送信装置によれば、より大きな周波数ダイバーシティ効果を得ることができ、制御情報の伝送品質の更なる向上が図られる。
本発明のマルチキャリア伝送方法は、複数の所定のキャリアからなるキャリア群を含む複数のキャリアをシンボル期間毎に変調し、当該キャリア群を用いて制御情報の伝送を行うマルチキャリア伝送方法において、１つのシンボル期間において前記制御情報の複数ビット分のバイナリデータを伝送し、前記制御情報を１以上の所定数のシンボル期間で１回伝送する伝送ステップと、前記制御情報の各々のビットのバイナリデータを伝送するキャリアが前記キャリア群において前記所定数のシンボル期間毎に所定の規則に基づいて変化するように前記伝送ステップにおける前記制御情報の伝送を制御する伝送制御ステップと、を有する。
【００１９】
また、本発明のマルチキャリア伝送方法は、複数の所定のキャリアからなるキャリア群を含む複数のキャリアをシンボル期間毎に変調し、当該キャリア群を用いて制御情報の伝送を行うマルチキャリア伝送方法において、１つのシンボル期間において前記制御情報の全ビットのバイナリデータを伝送し、前記制御情報を毎シンボル期間で１回以上伝送する伝送ステップと、前記制御情報の各々のビットのバイナリデータを伝送するキャリアが前記キャリア群においてシンボル期間毎に所定の規則に基づいて変化するように前記伝送ステップにおける前記制御情報の伝送を制御する伝送制御ステップと、を有する。
【００２０】
従来例ではシンボル期間に制御情報（上記のＴＰＳブロックに相当）の１ビット分のバイナリデータの伝送しか行われない。これに対して、上記の各マルチキャリア伝送方法では、シンボル期間に制御情報の複数ビット分のバイナリデータ又は全ビットのバイナリデータの伝送が行われる。このため、上記の各マルチキャリア伝送方法によれば、従来例に比べて少ない数のシンボル期間で１つの制御情報の伝送が可能になる。
【００２１】
また、制御情報の各ビットのバイナリデータは複数のシンボル期間に伝送されるとともに伝送に用いられるキャリアを変えながら伝送されるため、制御情報に関して時間ダイバーシティ効果及び周波数ダイバーシティ効果の双方が同時に得られ、制御情報の伝送品質の向上が図られる。
本発明の受信装置は、複数の所定のキャリアからなるキャリア群を含む複数のキャリアがシンボル期間毎に変調されることによって、当該キャリア群を用いて伝送される制御情報の受信を行う受信装置において、１つのシンボル期間において前記制御情報の複数ビット分のバイナリデータが伝送され、前記制御情報は１以上の所定数のシンボル期間で１回伝送され、前記制御情報の各々のビットのバイナリデータを伝送するキャリアが前記キャリア群において前記所定数のシンボル期間毎に所定の規則に基づいて変化するように前記制御情報の伝送の制御が行われることによって伝送される当該制御情報を受信する受信部と、前記受信部によって受信される前記制御情報の復元を前記所定の規則に基づいて行う復元部と、を備える。
【００２２】
また、本発明の受信装置は、複数の所定のキャリアからなるキャリア群を含む複数のキャリアがシンボル期間毎に変調されることによって、当該キャリア群を用いて伝送される制御情報の受信を行う受信装置において、１つのシンボル期間において前記制御情報の全ビットのバイナリデータが伝送され、前記制御情報は毎シンボル期間で１回以上伝送され、前記制御情報の各々のビットのバイナリデータを伝送するキャリアが前記キャリア群においてシンボル期間毎に所定の規則に基づいて変化するように前記制御情報の伝送の制御が行われることによって伝送される当該制御情報を受信する受信部と、前記受信部によって受信される前記制御情報の復元を前記所定の規則に基づいて行う復元部と、を備える。
【００２３】
従来例ではシンボル期間に制御情報（上記のＴＰＳブロックに相当）の１ビット分のバイナリデータの受信しか行われない。これに対して、上記の各受信装置では、シンボル期間に制御情報の複数ビット分のバイナリデータ又は全ビットのバイナリデータの受信が行われる。このため、上記の各受信装置によれば、従来例に比べて少ない数のシンボル期間で１つの制御情報の受信が可能である。
【００２４】
また、制御情報の各ビットのバイナリデータは複数のシンボル期間に伝送されるとともに伝送に用いられるキャリアを変えながら伝送されるため、制御情報に関して時間ダイバーシティ効果及び周波数ダイバーシティ効果の双方が同時に得られ、制御情報の伝送品質の向上が図られる。
【図面の簡単な説明】
【００２５】
【図１】ＳＰ信号、ＣＰ信号及びＴＰＳの配置を示す図。
【図２】本発明に係る実施の形態の送信装置の装置構成図。
【図３】図２のＴＰＳ信号生成部の構成図。
【図４】本発明に係る実施の形態の受信装置の装置構成図。
【図５】図４のＴＰＳ復調部、フレーム同期部及びＴＰＳ復号部の構成図。
【発明を実施するための形態】
【００２６】
以下、本発明の実施の形態について図面を参照しつつ説明する。但し、本実施の形態では、トランスポートストリームとして符号化された映像情報及び音声情報を送信するマルチキャリア伝送方法を例に説明する。なお、送信される情報はこれに限られるものではない。
≪ＯＦＤＭに係るフレーム構造≫
以下、本発明の実施の形態の送信装置及び受信装置について説明する前に、ＯＦＤＭに係るフレーム構造について説明する。但し、本実施の形態のマルチキャリア伝送方法では、時間的に連続する６８ＯＦＤＭシンボルで１つのフレームが構成され、時間的に連続する４フレームで１つのスーパーフレームが構成される。但し、ＯＦＤＭシンボルとは、ＯＦＤＭ伝送に基づいてデジタル変調を施す時間単位である。
【００２７】
フレーム内の６８個のＯＦＤＭシンボルはシンボル番号ｎ（ｎは０以上６７以下の整数）によってインデックス化される。
１つのＯＦＤＭシンボルは複数のキャリアで構成され、ＯＦＤＭシンボルを構成するキャリアの数は伝送モードによって異なる。例えば、１つのＯＦＤＭシンボルを構成するキャリアの数は２Ｋモード、４Ｋモード、８Ｋモード、１６Ｋモード及び３２Ｋモードの夫々において１７０５、３４０９、６８１７、１３６３３及び２７２６５である。キャリアはキャリア番号ｋ（ｋはＫｍｉｎ以上Ｋｍａｘ以下の整数）でインデックス化される。最小のキャリア番号Ｋｍｉｎを０とする。この場合、最大のキャリア番号Ｋｍａｘは２Ｋモード、４Ｋモード、８Ｋモード、１６Ｋモード及び３２Ｋモードの夫々において１７０４、３４０８、６８１６、１３６３２及び２７２６４である。
【００２８】
１つのＯＦＤＭシンボル期間の１つのキャリアをセルと呼び、１つのセルでは１つの変調シンボルが伝送される。１つのＯＦＤＭシンボルはシンボル期間ＴＳで伝送され、シンボル期間ＴＳは有効シンボル期間ＴＵとガード期間と呼ばれる冗長な期間Δとからなる。このとき、隣接するキャリアの周波数間隔は１／ＴＵである。
ＯＦＤＭフレームには、送信データの他に分散パイロット信号（ＳＰ信号）、連続パイロット信号（ＣＰ信号）及びＴＰＳが含まれる。以下、ＳＰ信号、ＣＰ信号及びＴＰＳの伝送に用いられるキャリアについて順番に説明する。
【００２９】
＜ＳＰ信号を伝送するキャリア＞
ＳＰ信号は、シンボル番号ｎのシンボルにおいて、下記の（数１）で与えられるキャリア番号のサブセットに属する複数のキャリアで伝送される。
【００３０】
【数１】
2008149510.tif 000029
【００３１】
但し、（数１）において、ｐは０以上の整数である。また、ｋはＫｍｉｎ以上Ｋｍａｘ以下の範囲を超えないものとし、Ｋｍａｘの値は伝送モードに依存し、例えばＫｍｉｎ及びＫｍａｘは上述した値である。また、ｍｏｄは剰余演算である。
＜ＣＰ信号を伝送するキャリア＞
ＣＰ信号は、下記の（表１）に示す各キャリア番号ｋＣＰに対して、ｋ＝ｋＣＰ＋１７０４ｐで与えられるキャリア番号のサブセットに属する複数のキャリアで伝送される。但し、ｐは０以上の整数である。また、ｋはＫｍｉｎ以上Ｋｍａｘ以下の範囲を超えないものとし、Ｋｍａｘの値は伝送モードに依存し、例えばＫｍｉｎ及びＫｍａｘは上述した値である。即ち、ＣＰ信号を伝送するサブセットに含まれるキャリアのキャリア番号は、下記の（表１）に示す各キャリア番号を１７０４キャリア周期でＫｍａｘまで繰り返して得られるキャリア番号に相当する。
【００３２】
ＣＰ信号を伝送するキャリアの数は２Ｋモード、４Ｋモード、８Ｋモード、１６Ｋモード及び３２Ｋモードの夫々において４５、８９、１７７、３５３及び７０５である。但し、ＣＰ信号を伝送するセルの一部はＳＰ信号を伝送するセルと一致する。ＳＰ信号を伝送するセルと一致しないＣＰ信号を伝送するセルの数（１シンボル当りのキャリアの数）は２Ｋモード、４Ｋモード、８Ｋモード、１６Ｋモード及び３２Ｋモードの夫々において３３、６６、１３２、２６４及び５２８である。
【００３３】
【表１】
2008149510.tif 000030
【００３４】
＜ＴＰＳを伝送するキャリア＞
ＴＰＳは、キャリア番号がｋＴＰＳ（ｊ）で表されるサブセットに含まれる複数のキャリアで伝送される。ｊはＴＰＳキャリアのキャリア番号ｋＴＰＳ（ｊ）を特定するインデックス（以下、「ＴＰＳキャリアインデックス」と言う。）である。ＴＰＳキャリアインデックスｊが０以上１６以下の範囲では、キャリア番号ｋＴＰＳ（ｊ）は下記の（表２）で規定され、ＴＰＳキャリアインデックスｊが１７以上の範囲では、キャリア番号ｋＴＰＳ（ｊ）は漸化式ｋＴＰＳ（ｊ）＝ｋＴＰＳ（ｊ−１７）＋１７０４で与えられる。但し、ＴＰＳキャリアインデックスｊは、２Ｋモードでは０以上１６以下の整数、４Ｋモードでは０以上３３以下の整数、８Ｋモードでは０以上６７以下の整数、１６Ｋモードでは０以上１３５以下の整数、３２Ｋモードでは０以上２７１以下の整数である。
【００３５】
即ち、ＴＰＳを伝送するサブセットに含まれるキャリアのキャリア番号は、下記の（表２）に示す各キャリア番号ｋＴＰＳ（ｊ）を１７０４キャリア周期でＫｍａｘまで繰り返して得られるキャリア番号に相当する。但し、Ｋｍａｘの値は伝送モードに依存し、例えばＫｍａｘは上述した値である。
ＴＰＳを伝送するＴＰＳキャリアの数は２Ｋモード、４Ｋモード、８Ｋモード、１６Ｋモード及び３２Ｋモードの夫々において１７、３４、６８、１３６及び２７２である。
【００３６】
【表２】
2008149510.tif 000031
【００３７】
なお、ＳＰ信号、ＣＰ信号、及びＴＰＳの信号配置の一例を図１に示す。図１は２Ｋモードにおける信号配置を示しており、黒丸はＳＰ信号又はＣＰ信号を示し、二重丸はＴＰＳを示し、白丸は送信データを示す。
≪ＴＰＳブロックの内容≫
次に、伝送パラメータ情報などを伝送する一連のＴＰＳのブロック（ＴＰＳブロック）の内容について説明する。なお、ｓ並びに後述するｓ’及びｓ”の添え字はＴＰＳブロック内のビット位置を示す。
【００３８】
ＴＰＳブロックは、１ビットの初期化ビットｓ０、１６ビットの同期ワードｓ１〜ｓ１６、３７ビットの伝送パラメータ情報ｓ１７〜ｓ５３、及び誤り保護のための１４ビットの冗長符号ｓ５４〜ｓ６７からなる６８ビットのバイナリデータで構成される。ＴＰＳブロックを構成する各バイナリデータは１つのＴＰＳで伝送される。
初期化ビットｓ０は、ＤＢＰＳＫ変調の変調位相の初期化に用いられる。同期ワードｓ１〜ｓ１６は、受信装置においてフレーム同期に用いられ、同期ワードｓ１〜ｓ１６には“００１１０１０１１１１０１１１０”及び“１１００１０１００００１０００１”なる交番する２種類の符号の何れかが割り当てられる。伝送パラメータ情報ｓ１７〜ｓ５３は、その伝送パラメータ情報ｓ１７〜ｓ５３に含まれる情報の長さ、フレーム番号、コンステレーション（データ伝送キャリアの変調方法）、階層情報、伝送路符号化の符号化率、ＯＦＤＭ伝送のガード期間長、伝送モード、セルＩＤ、及び予備ビットを含む。冗長符号ｓ５４〜ｓ６７は、同期ワードｓ１〜ｓ１６と伝送パラメータ情報ｓ１７〜ｓ５３とに対して短縮化ＢＣＨ（６７，５３）符号によって符号化した冗長検査符号であり、受信装置は短縮化ＢＣＨ（６７，５３）符号によって２ビットまでの伝送誤りを訂正することができる。
【００３９】
さらに、１つのＴＰＳブロックの伝送に用いられるＴＰＳの概要について説明する。なお、従来例では、上述したように、１つのＴＰＳブロックｓ０〜ｓ６７は１フレーム（６８ＯＦＤＭシンボル）内の同じキャリア番号の６８個のＴＰＳで伝送される。別の言い方をすれば、従来例では、１つのＯＦＤＭシンボルではＴＰＳブロックｓ０〜ｓ６７の１ビット分のバイナリデータのみが伝送される。
【００４０】
本実施の形態では、２Ｋモードの場合、ＴＰＳは１ＯＦＤＭシンボルに１７個あることから４ＯＦＤＭシンボルには６８個のＴＰＳが存在することになり、４ＯＦＤＭシンボルに含まれるＴＰＳの個数はＴＰＳブロックｓ０〜ｓ６７のビット数に一致する。このことを考慮し、送信装置は、１ＯＦＤＭシンボルでＴＰＳブロックｓ０〜ｓ６７の１７ビット分のバイナリデータを伝送し、４ＯＦＤＭシンボルでＴＰＳブロックｓ０〜ｓ６７を１つずつ伝送する。
【００４１】
４Ｋモードの場合、ＴＰＳは１ＯＦＤＭシンボルに３４個あることから２ＯＦＤＭシンボルには６８個のＴＰＳが存在することになり、２ＯＦＤＭシンボルに含まれるＴＰＳの個数はＴＰＳブロックｓ０〜ｓ６７のビット数に一致する。このことを考慮し、送信装置は、１ＯＦＤＭシンボルでＴＰＳブロックｓ０〜ｓ６７の３４ビット分のバイナリデータを伝送し、２ＯＦＤＭシンボルでＴＰＳブロックｓ０〜ｓ６７を１つずつ伝送する。
【００４２】
８Ｋモードの場合、ＴＰＳは１ＯＦＤＭシンボルに６８個あることから、１ＯＦＤＭシンボルに含まれるＴＰＳの個数はＴＰＳブロックｓ０〜ｓ６７のビット数に一致する。このことを考慮し、送信装置は、１ＯＦＤＭシンボルでＴＰＳブロックｓ０〜ｓ６７の全ビットのバイナリデータを伝送し、毎ＯＦＤＭシンボルで１つのＴＰＳブロックｓ０〜ｓ６７を伝送する。
【００４３】
１６Ｋモードの場合、ＴＰＳは１ＯＦＤＭシンボルに１３６個あることから、１ＯＦＤＭシンボルに含まれるＴＰＳの個数は２個分のＴＰＳブロックｓ０〜ｓ６７のビット数の合計に一致する。このことを考慮し、送信装置は、１ＯＦＤＭシンボルでＴＰＳブロックｓ０〜ｓ６７の全ビットのバイナリデータを伝送し、毎ＯＦＤＭシンボルで２つのＴＰＳブロックｓ０〜ｓ６７を伝送する。
【００４４】
３２Ｋモードの場合、ＴＰＳは１ＯＦＤＭシンボルに２７２個あることから、１ＯＦＤＭシンボルに含まれるＴＰＳの個数は４個分のＴＰＳブロックｓ０〜ｓ６７のビット数の合計に一致する。このことを考慮し、送信装置は、１ＯＦＤＭシンボルでＴＰＳブロックｓ０〜ｓ６７の全ビットのバイナリデータを伝送し、毎ＯＦＤＭシンボルで４つのＴＰＳブロックｓ０〜ｓ６７を伝送する。
【００４５】
≪送信装置の構成≫
以下、本実施の形態の送信装置の構成について図２を参照しつつ説明する。図２は本実施の形態の送信装置の装置構成図である。
送信装置１００は、エネルギ拡散部１０１と、外符号化部１０２と、外インタリーバ１０３と、内符号化部１０４と、エネルギ拡散部１０５と、外符号化部１０６と、外インタリーバ１０７と、内符号化部１０８と、内インタリーバ１０９と、ＴＰＳ信号生成部１１０と、パイロット生成部１１１と、マッピング部１１２と、フレーム適合部１１３と、ＯＦＤＭ変調部１１４と、ガードインターバル挿入部１１５と、Ｄ／Ａ変換部１１６と、フロントエンド部１１７と、アンテナ１１８とを備える。なお、送信装置１００は送信データとして２系統までのトランスポートストリームを多重して送信することが可能である。
【００４６】
＜エネルギ拡散部１０１＞
送信装置１００に入力された第１系統のトランスポートストリーム（送信データ）はエネルギ拡散部１０１に供給される。但し、第１系統のトランスポートストリームは１８８バイトを１パケットとするパケット構造を有しており、パケット毎にパケットの先頭に同期バイトが配置されている。
【００４７】
エネルギ拡散部１０１は、供給されるトランスポートストリーム内の送信データをランダマイズする。具体的に記載すると、エネルギ拡散部１０１は、ＰＲＢＳ（Pseudorandom Binary Sequence）系列のデータに基づいて供給されるトランスポート内の送信データをビット単位で部分的に反転することによってエネルギ拡散し、エネルギ拡散処理が施された送信データを外符号化部１０２へ出力する。但し、ＰＲＢＳ系列のデータは生成多項式Ｇ（ｘ）＝ｘ１５＋ｘ１４＋１に従って生成され、８パケット毎にＰＲＢＳ系列のデータは初期化される。
【００４８】
＜外符号化部１０２＞
外符号化部１０２は、エネルギ拡散部１０１から入力されるエネルギ拡散処理が施された送信データをパケット毎にＲＳ（Reed-Solomon）符号によって符号化する。そして、外符号化部１０２は、符号化によって得られた２０４バイトの送信データ（エネルギ拡散処理が施された１８８バイトの送信データの後に１６バイトのパリティに係るデータを付加した２０４バイトの送信データ）をパケットとして再構成して外インタリーバ１０３へ出力する。
【００４９】
＜外インタリーバ１０３＞
外インタリーバ１０３は、外符号化部１０２から入力されるＲＳ符号によって符号化された送信データを、バイト幅で深さＩ＝１２の畳み込みインタリーブし、畳み込みインタリーブ処理が施された送信データを内符号化部１０４へ出力する。
＜内符号化部１０４＞
内符号化部１０４は、外インタリーバ１０３から入力される畳み込みインタリーブ処理が施された送信データを、生成多項式がＧ１＝１７１ＯＣＴ及びＧ２＝１３３ＯＣＴである畳み込み符号によって符号化する。そして、内符号化部１０４は、畳み込み符号化された送信データをパンクチャリングしながら（間引きながら）、内インタリーバ１０９へ出力する。このようにして、内符号化部１０４は、符号化率が可変なパンクチャド畳み込み符号化を行う。
【００５０】
＜エネルギ拡散部１０５＞
送信装置１００に入力された第２系統のトランスポートストリーム（送信データ）はエネルギ拡散部１０５に供給される。但し、第２系統のトランスポートストリームは１８８バイトを１パケットとするパケット構造を有しており、パケット毎にパケットの先頭に同期バイトが配置されている。
【００５１】
エネルギ拡散部１０５は、供給されるトランスポートストリーム内の送信データをランダマイズする。具体的に記載すると、エネルギ拡散部１０５は、ＰＲＢＳ系列のデータに基づいて供給されるトランスポートストリーム内の送信データをビット単位で部分的に反転することによってエネルギ拡散し、エネルギ拡散処理が施された送信データを外符号化部１０６へ出力する。但し、ＰＲＢＳ系列のデータは生成多項式Ｇ（ｘ）＝ｘ１５＋ｘ１４＋１に従って生成され、８パケット毎にＰＲＢＳ系列のデータは初期化される。
【００５２】
＜外符号化部１０６＞
外符号化部１０６は、エネルギ拡散部１０５から入力されるエネルギ拡散処理が施された送信データをパケット毎にＲＳ符号によって符号化する。そして、外符号化部１０６は、符号化によって得られた２０４バイトの送信データ（エネルギ拡散処理が施された１８８バイトの送信データの後に１６バイトのパリティに係るデータを付加した２０４バイトの送信データ）をパケットとして再構成して外インタリーバ１０７へ出力する。
【００５３】
＜外インタリーバ１０７＞
外インタリーバ１０７は、外符号化部１０６から入力されるＲＳ符号によって符号化された送信データを、バイト幅で深さＩ＝１２の畳み込みインタリーブし、畳み込みインタリーブ処理が施された送信データを内符号化部１０８へ出力する。
＜内符号化部１０８＞
内符号化部１０８は、外インタリーバ１０７から入力される畳み込みインタリーブ処理が施された送信データを、生成多項式がＧ１＝１７１ＯＣＴ及びＧ２＝１３３ＯＣＴである畳み込み符号によって符号化する。そして、内符号化部１０８は、畳み込み符号化された送信データをパンクチャリングしながら（間引きながら）、内インタリーバ１０９へ出力する。このようにして、内符号化部１０８は、符号化率が可変なパンクチャド畳み込み符号化を行う。
【００５４】
＜内インタリーバ１０９＞
内インタリーバ１０９は、内符号化部１０４から入力されるパンクチャド畳み込み符号化された送信データと内符号化部１０８から入力されるパンクチャド畳み込み符号化された送信データとを２段階でインタリーブし、インタリーブ処理が施された送信データをマッピング部１１２へ出力する。但し、内インタリーバ１０９による１段階目のインタリーブは、ビット幅インタリーブと称され、データをビット幅でインタリーブするものである。また、内インタリーバ１０９による２段階目のインタリーブは、シンボルインタリーブと称され、ビット幅インタリーブ処理が施された送信データを、複数ビットずつまとめたものをシンボルとして、シンボル単位でインタリーブするものである。但し、ここでいうシンボルとは、マッピング部１１２で変調シンボルを生成する単位である。
【００５５】
＜ＴＰＳ信号生成部１１０＞
ＴＰＳ信号生成部１１０は、伝送パラメータ情報を含むＴＰＳブロックｓ０〜ｓ６７を生成し、生成したＴＰＳブロックｓ０〜ｓ６７の内容の並び替えを所定の規則に基づいて行い、並び替えの結果得られたＴＰＳブロックｓ”０〜ｓ”６７をマッピング部１１２へ出力する。なお、所定の規則に基づくバイナリデータの並び替えは後述するローテーション部１５２及びパーミュテーション部１５３によって行われる。
【００５６】
以下、図２のＴＰＳ信号生成部１１０の構成について図３を参照しつつ説明する。図３は図２のＴＰＳ信号生成部１１０の構成図である。
ＴＰＳ信号生成部１１０は、ＴＰＳブロック生成部１５１と、ローテーション部１５２と、パーミュテーション部１５３とを有する。
［ＴＰＳブロック生成部１５１］
ＴＰＳブロック生成部１５１は、１ビットの初期化ビットｓ０、１６ビットの同期ワードｓ１〜ｓ１６、送信装置１００において設定された３７ビットの伝送パラメータ情報ｓ１７〜ｓ５３、及び誤り保護のための１４ビットの冗長符号ｓ５４〜ｓ６７からなる６８ビットのＴＰＳブロックｓ０〜ｓ６７を生成し、生成したＴＰＳブロックｓ０〜ｓ６７をローテーション部１５２へ出力する。なお、初期化ビットｓ０、同期ワードｓ１〜ｓ１６、伝送パラメータ情報ｓ１７〜ｓ５３、及び冗長符号ｓ５４〜ｓ６７の各内容は上述した通りである。
【００５７】
但し、ＴＰＳブロック生成部１５１は、同一フレーム内では同一内容の伝送パラメータ情報ｓ１７〜ｓ５３を生成する。また、ＴＰＳブロック生成部１５１は、同一フレーム内でも同期ワードｓ１〜ｓ１６が交番するように同期ワードｓ１〜ｓ１６を生成する。なお、１６Ｋモード及び３２Ｋモードでは、同期ワードｓ１〜ｓ１６は同一ＯＦＤＭシンボル内で交番する。
【００５８】
［ローテーション部１５２］
ローテーション部１５２は、ＴＰＳブロック生成部１５１から入力されるＴＰＳブロックｓ０〜ｓ６７の内容を下記の（数２）に従ってその一部の夫々で又はその全部で巡回的にビットシフトすることによって並び替え、並び替えの結果得られたＴＰＳブロックｓ’０〜ｓ’６７をパーミュテーション部１５３へ出力する。
【００５９】
【数２】
2008149510.tif 000032
【００６０】
但し、（数２）において、ｉはＴＰＳブロック生成部１５１から入力されるＴＰＳブロックｓ０〜ｓ６７内のビット位置を示し、ｎ’は巡回シフトするビット数を示す。また、Ｒ（ｉ，ｎ’）は並び替えの規則を表す。
並び替えの規則Ｒ（ｉ，ｎ’）は伝送モードに応じて用意されている。２Ｋモードの並び替えの規則Ｒ（ｉ，ｎ’）は下記の（数３）で表され、４Ｋモードの並び替えの規則Ｒ（ｉ，ｎ’）は下記の（数４）で表され、８Ｋモード、１６Ｋモード及び３２Ｋモード並び替えの規則Ｒ（ｉ，ｎ’）は下記の（数５）で表される。
【００６１】
【数３】
2008149510.tif 000033
【００６２】
【数４】
2008149510.tif 000034
【００６３】
【数５】
2008149510.tif 000035
【００６４】
但し、（数３）、（数４）及び（数５）において、ｉはＴＰＳブロック生成部１５１から入力されるＴＰＳブロックｓ０〜ｓ６７内のビット位置を示し、ｎ’は巡回シフトするビット数を示し、ｍｏｄは剰余演算である。ビット数ｎ’はフレームの先頭で初期化される。
（数３）におけるビット数ｎ’は、４ＯＦＤＭシンボル毎に１インクリメントされ、例えば、シンボル番号０〜３のＯＦＤＭシンボルで伝送されるＴＰＳブロックｓ０〜ｓ６７では０、シンボル番号４〜７のＯＦＤＭシンボルで伝送されるＴＰＳブロックｓ０〜ｓ６７では１、シンボル番号８〜１１のＯＦＤＭシンボルで伝送されるＴＰＳブロックｓ０〜ｓ６７では２である。
【００６５】
（数４）におけるビット数ｎ’は、２ＯＦＤＭシンボル毎に１インクリメントされ、例えば、シンボル番号０〜１のＯＦＤＭシンボルで伝送されるＴＰＳブロックｓ０〜ｓ６７では０、シンボル番号２〜３のＯＦＤＭシンボルで伝送されるＴＰＳブロックｓ０〜ｓ６７では１、シンボル番号４〜５のＯＦＤＭシンボルで伝送されるＴＰＳブロックｓ０〜ｓ６７では３である。
【００６６】
（数５）におけるビット数ｎ’はＯＦＤＭシンボル毎に１インクリメントされ、例えば、シンボル番号０のＯＦＤＭシンボルで伝送されるＴＰＳブロックｓ０〜ｓ６７では０、シンボル番号１のＯＦＤＭシンボルで伝送されるＴＰＳブロックｓ０〜ｓ６７では１、シンボル番号２のＯＦＤＭシンボルで伝送されるＴＰＳブロックｓ０〜ｓ６７では２である。
【００６７】
ここで、（数３）、（数４）及び（数５）に示した並び替えの規則Ｒ（ｉ，ｎ’）について説明する。
（数３）に示した２Ｋモードに関する並び替えの規則Ｒ（ｉ，ｎ’）は、１ＯＦＤＭシンボルで伝送されるバイナリデータの数が１７であることを考慮し、ＴＰＳブロックｓ０〜ｓ６７を４つに分割した１７ビットの各サブブロック（以下、１つのＯＦＤＭシンボルで伝送されるサブブロックを「ＴＰＳサブブロック」と言う。）ｓ０〜ｓ１６、ｓ１７〜ｓ３３、ｓ３４〜ｓ５０、ｓ５１〜ｓ６７でバイナリデータを巡回シフトするようになっており、各ＴＰＳサブブロックの並び替えの規則は互いに同じになっている。この規則では、ＴＰＳブロックｓ０〜ｓ６７を伝送する４ＯＦＤＭシンボル内でＯＦＤＭシンボルをまたいでのバイナリデータの並び替えが起こらない。
【００６８】
（数４）に示した４Ｋモードに関する並び替えの規則Ｒ（ｉ，ｎ’）は、１ＯＦＤＭシンボルで伝送されるバイナリデータの数が３４であることを考慮し、ＴＰＳブロックｓ０〜ｓ６７を２つに分割した３４ビットの各ＴＰＳサブブロックｓ０〜ｓ３３、ｓ３４〜ｓ６７でバイナリデータを巡回シフトするようになっており、各ＴＰＳサブブロックの並び替えの規則は互いに同じになっている。この規則では、ＴＰＳブロックｓ０〜ｓ６７を伝送する２ＯＦＤＭシンボル内でＯＦＤＭシンボルをまたいでのバイナリデータの並び替えが起こらない。
【００６９】
（数５）に示した８Ｋモード、１６Ｋモード及び３２Ｋモードに関する並び替えの規則Ｒ（ｉ，ｎ’）は、１ＯＦＤＭシンボルで伝送されるバイナリデータの数が６８、１３６及び２７２であることを考慮し、ＴＰＳブロックｓ０〜ｓ６７を分割することなく、ＴＰＳブロックｓ０〜ｓ６７でバイナリデータを巡回シフトするようになっている。
［パーミュテーション部１５３］
パーミュテーション部１５３は、ローテーション部１５２から入力されるＴＰＳブロックｓ’０〜ｓ’６７の内容を下記の（数６）に従って擬似的にランダムに並び替え、並び替えの結果得られたＴＰＳブロックｓ”０〜ｓ”６７をマッピング部１１２へ出力する。
【００７０】
【数６】
2008149510.tif 000036
【００７１】
但し、（数６）において、ｉはローテーション部１５２から入力されるＴＰＳブロックｓ’０〜ｓ’６７内のビット位置を示し、Ｐ（ｉ）は並び替えの規則を表す。
並び替えの規則Ｐ（ｉ）は、下記の（数７）に示すように、２段階の並び替えの規則からなる。
【００７２】
【数７】
2008149510.tif 000037
【００７３】
但し、（数７）において、ｉはローテーション部１５２から入力されるＴＰＳブロックｓ’０〜ｓ’６７内のビット位置を示す。
（数７）における１段階目の並び替えの規則Ｐ１（ｉ）は、各伝送モードで共通であり、下記の（数８）で表される。
【００７４】
【数８】
2008149510.tif 000038
【００７５】
但し、（数８）において、ｉはローテーション部１５２から入力されるＴＰＳブロックｓ’０〜ｓ’６７内のビット位置を示し、Ｐ０（ｉ）は並び替えの規則を表す。（数８）は１７ビット毎に並び替えの規則Ｐ０（ｉ）に従ってＴＰＳブロックｓ’０〜ｓ’６７の内容を並び替えることに相当する。１７ビットの並び替えの規則Ｐ０（ｉ）の一例を下記の（表３）に示す。
【００７６】
【表３】
2008149510.tif 000039
【００７７】
なお、１段階目の並び替えの規則Ｐ１（ｉ）は、２Ｋモードにおける１ＯＦＤＭシンボルで伝送されるバイナリデータの数が１７であることを考慮し、ＴＰＳブロックｓ０〜ｓ６７を４つに分割した１７ビットの各サブブロックｓ０〜ｓ１６、ｓ１７〜ｓ３３、ｓ３４〜ｓ５０、ｓ５１〜ｓ６７でバイナリデータを擬似的にランダムに並び替えるようになっており、各サブブロックの並び替えの規則は互いに同じになっている。この規則では、２Ｋモード又は４ＫモードにおいてＴＰＳブロックｓ０〜ｓ６７を伝送する４ＯＦＤＭシンボル又は２ＯＦＤＭシンボル内でＯＦＤＭシンボルをまたいでのバイナリデータの並び替えが起こらない。
【００７８】
２段階目の並び替えの規則Ｐ２（ｉ）は、各伝送モードで共通ではなく、２Ｋモードでは下記の（数９）で表され、４Ｋモードでは下記の（数１０）で表され、８Ｋモード、１６Ｋモード及び３２Ｋモードでは下記の（数１１）で表される。
【００７９】
【数９】
2008149510.tif 000040
【００８０】
【数１０】
2008149510.tif 000041
【００８１】
【数１１】
2008149510.tif 000042
【００８２】
但し、（数９）、（数１０）及び（数１１）において、ｉは上記の（数８）で表される１段階目の並び替えの規則で得られる値である。
２Ｋモードの場合、１段階目の並び替えの規則は、ＴＰＳブロックｓ’０〜ｓ’６７の各ＴＰＳサブブロックｓ’０〜ｓ’１６、ｓ’１７〜ｓ’３３、ｓ’３４〜ｓ’５０、ｓ’５１〜ｓ’６７の内容をＴＰＳサブブロック全体に亘って擬似的にランダムに並び替える規則になっている。このため、（数９）に示した２Ｋモードに関する並び替えの規則Ｐ２（ｉ）は、ＴＰＳブロックｓ’０〜ｓ’６７の内容を新たに並び替えない並び替えの規則になっている。
【００８３】
４Ｋモードの場合、１段階目の並び替えの規則は、ＴＰＳブロックｓ’０〜ｓ’６７の各ＴＰＳサブブロックｓ’０〜ｓ’３３、ｓ’３４〜ｓ’６７の内容をＴＰＳサブブロック全体に亘って擬似的にランダムに並び替える規則になっていない。（数１０）に示した４Ｋモードに関する並び替えの規則Ｐ２（ｉ）は、各ＴＰＳサブブロックｓ’０〜ｓ’３３、ｓ’３４〜ｓ’６７の内容をＴＰＳサブブロック全体に亘って擬似的にランダムに並び替えを行いながら、ＴＰＳサブブロックｓ’０〜ｓ’３３、ｓ’３４〜ｓ’６７をまたいでバイナリデータの並び替えが起こらない規則になっている。
【００８４】
８Ｋモード、１６Ｋモード及び３２Ｋモードの場合、１段階目の並び替えの規則は、ＴＰＳブロックｓ’０〜ｓ’６７の内容をＴＰＳブロック全体に亘って擬似的にランダムに並び替える規則になっていない。（数１１）に示した８Ｋモード、１６Ｋモード及び３２Ｋモードに関する並び替えの規則Ｐ２（ｉ）は、ＴＰＳブロックｓ’０〜ｓ’６７の内容をＴＰＳブロック全体に亘って擬似的にランダムに並び替える規則になっている。
【００８５】
なお、並び替えの規則Ｐ（ｉ）は、ＯＦＤＭシンボル内でＴＰＳサブブロック又はＴＰＳブロックの内容の並び替えを行い、各ＯＦＤＭシンボル間で互いに並び替えの規則が同じである規則になっている。
＜パイロット生成部１１１＞
パイロット生成部１１１は、それらが伝送されるキャリアのキャリア番号ｋに対応するＰＲＢＳ系列ｗｋに従ってＳＰ信号とＣＰ信号とを生成し、生成したＳＰ信号とＣＰ信号とをマッピング部１１２へ出力する。
【００８６】
＜マッピング部１１２＞
マッピング部１１２は、内インタリーバ１０９から入力される送信データに従って変調シンボルを生成し、生成した変調シンボルをフレーム適合部１１３へ出力する。送信データに基づく変調シンボルは、ＱＰＳＫ（Quadrature PhaseShift Keying）、１６ＱＡＭ（Quadrature Amplitude Modulation）、６４ＱＡＭ、非均一１６ＱＡＭ、及び非均一６４ＱＡＭの何れかのコンステレーションに属する複素数値にマッピングされたものである。
【００８７】
更に、マッピング部１１２は、パイロット生成部１１１から入力されるＳＰ信号及びＣＰ信号に従って変調シンボルを生成し、生成した変調シンボルをフレーム適合部１１３へ出力する。ＳＰ信号及びＣＰ信号に基づく変調シンボルは、ＢＰＳＫ（Binary Phase Shift Keying）のコンステレーションに属するブーストされたパワーレベルの複素数値にマッピングされたものである。なお、ＳＰ信号及びＣＰ信号の変調シンボルは下記の（数１２）によって与えられる。
【００８８】
【数１２】
2008149510.tif 000043
【００８９】
但し、（数１２）において、ｍはフレーム番号、ｎはシンボル番号、ｋはキャリア番号を表す。ｃｍ，ｎ，ｋは、フレーム番号ｍ、シンボル番号ｎ及びキャリア番号ｋのセルに割り当てられる複素数値（変調シンボル）を表し、ｗｋはキャリア番号ｋに対応するＰＲＢＳ系列のデータを表す。Ｒｅ｛  ｝は実数部を表す演算子であり、Ｉｍ｛  ｝は虚数部を表す演算子である。
【００９０】
更に、マッピング部１１２は、ＴＰＳ信号生成部１１０から入力されるＴＰＳブロックｓ”０〜ｓ”６７を構成するバイナリデータの各々をＤＢＰＳＫ変調に従う複素数値にマッピングすることによって変調シンボルを生成し、生成した変調シンボルをフレーム適合部１１３へ出力する。
以下に、マッピング部１１２によるＴＰＳブロックｓ”０〜ｓ”６７に対するマッピング処理の詳細を説明する。
【００９１】
マッピング部１１２は、フレーム内のシンボル番号ｎかつキャリア番号ｋＴＰＳ（ｊ）のセルで伝送されるＴＰＳブロックｓ”０〜ｓ”６７を構成するバイナリデータｓ”Ｑ（ｊ，ｎ）を、２Ｋモードの場合には下記の（数１３）に従って、４Ｋモードの場合には下記の（数１４）に従って、８Ｋモード、１６Ｋモード及び３２Ｋモードの場合には下記の（数１５）に従って決定する。
【００９２】
【数１３】
2008149510.tif 000044
【００９３】
【数１４】
2008149510.tif 000045
【００９４】
【数１５】
2008149510.tif 000046
【００９５】
但し、（数１３）、（数１４）、（数１５）において、ｎはフレーム内のシンボル番号、ｊはＴＰＳキャリアのＴＰＳキャリアインデックス、Ｑ（ｊ，ｎ）はＴＰＳブロックを構成するバイナリデータｓ”Ｑ（ｊ，ｎ）をフレームを構成するセルに割り当てる関数である。
なお、２Ｋモードでは、（数１３）により、１つのＴＰＳブロックｓ”０〜ｓ”６７は連続する４つのＯＦＤＭシンボルで伝送される。そして、ＴＰＳサブブロックｓ”０〜ｓ”１６はシンボル番号０、４、８、・・・のＯＦＤＭシンボルで伝送され、ＴＰＳサブブロックｓ”１７〜ｓ”３３はシンボル番号１、５、９、・・・のＯＦＤＭシンボルで伝送され、ＴＰＳサブブロックｓ”３４〜ｓ”５０はシンボル番号２、６、１０、・・・のＯＦＤＭシンボルで伝送され、ＴＰＳサブブロックｓ”５１〜ｓ”６７はシンボル番号３、７、１１、・・・のＯＦＤＭシンボルで伝送される。
【００９６】
また、４Ｋモードでは、（数１４）により、１つのＴＰＳブロックｓ”０〜ｓ”６７は連続する２つのＯＦＤＭシンボルで伝送される。そして、ＴＰＳサブブロックｓ”０〜ｓ”３３はシンボル番号０、２、４、・・・のＯＦＤＭシンボルで伝送され、ＴＰＳサブブロックｓ”３４〜ｓ”６７はシンボル番号１、３、５、・・・のＯＦＤＭシンボルで伝送される。
【００９７】
さらに、８Ｋモードでは、（数１４）により、１つのＴＰＳブロックｓ”０〜ｓ”６７は１つのＯＦＤＭシンボルで伝送され、１つのＯＦＤＭシンボルでは１つのＴＰＳブロックｓ”０〜ｓ”６７が伝送される。また、１６Ｋモードでは、（数１４）により、１つのＴＰＳブロックｓ”０〜ｓ”６７は１つのＯＦＤＭシンボルで伝送され、１つのＯＦＤＭシンボルでは２つのＴＰＳブロックｓ”０〜ｓ”６７が伝送される。さらに、３２Ｋモードでは、（数１４）により、１つのＴＰＳブロックｓ”０〜ｓ”６７は１つのＯＦＤＭシンボルで伝送され、１つのＯＦＤＭシンボルでは４つのＴＰＳブロックｓ”０〜ｓ”６７が伝送される。
【００９８】
マッピング部１１２は、初期化ビットｓ０以外では、シンボル番号ｎ且つキャリア番号ｋＴＰＳ（ｊ）のセルで伝送されるＴＰＳブロックｓ”０〜ｓ”６７を構成するバイナリデータｓ”Ｑ（ｊ，ｎ）を下記の（数１６）に示すようにＤＢＰＳＫ変調に従う複素数値にマッピングする。
【００９９】
【数１６】
2008149510.tif 000047
【０１００】
但し、（数１６）において、ｍはフレーム番号、ｎはシンボル番号、ｊはＴＰＳキャリアのＴＰＳキャリアインデックス、ｋＴＰＳ（ｊ）はキャリア番号を表す。ｃｍ，ｎ，ｋＴＰＳ（ｊ）（ここでは、ｋＴＰＳ（ｊ）をｋＴＰＳ（ｊ）と表記する。）は、フレーム番号ｍ、シンボル番号ｎ及びキャリア番号ｋＴＰＳ（ｊ）のセルに割り当てられる複素数値（変調シンボル）を表す。Ｒｅ｛  ｝は実数部を表す演算子であり、Ｉｍ｛  ｝は虚数部を表す演算子である。
【０１０１】
また、マッピング部１１２は、初期化ビットｓ０では、シンボル番号ｎ且つキャリア番号ｋＴＰＳ（ｊ）のセルで伝送されるＴＰＳブロックｓ”０〜ｓ”６７を構成するバイナリデータｓ”Ｑ（ｊ，ｎ）を下記の（数１７）に示すようにＤＢＰＳＫ変調に従う複素数値にマッピングする。
【０１０２】
【数１７】
2008149510.tif 000048
【０１０３】
但し、（数１７）において、ｍはフレーム番号、ｎはシンボル番号、ｊはＴＰＳキャリアのＴＰＳキャリアインデックス、ｋＴＰＳ（ｊ）はキャリア番号を表す。ｃｍ，ｎ，ｋＴＰＳ（ｊ）（ここでは、ｋＴＰＳ（ｊ）をｋＴＰＳ（ｊ）と表記する。）は、フレーム番号ｍ、シンボル番号ｎ及びキャリア番号ｋＴＰＳ（ｊ）のセルに割り当てられる複素数値（変調シンボル）を表す。ｗｋＴＰＳ（ｊ）（ここでは、ｋＴＰＳ（ｊ）をｋＴＰＳ（ｊ）と表記する。）は、ｋ＝ｋＴＰＳ（ｊ）としてＳＰ信号及びＣＰ信号を変調するＰＲＢＳ系列ｗｋを利用する。
【０１０４】
＜フレーム適合部１１３＞
フレーム適合部１１３は、フレームを構成する各々のセルにマッピング部１１２から入力される各変調シンボルを割り当てることによってそれらを伝送するためのフレームを構成し、構成したフレームに係るフレーム信号をＯＦＤＭ変調部１１４へ出力する。
＜ＯＦＤＭ変調部１１４＞
ＯＦＤＭ変調部１１４は、ＯＦＤＭシンボル毎に、フレーム適合部１１３から入力されるフレーム信号に含まれる各キャリアに対応するセルに割り当てられた変調シンボル（複素数値）に従って各キャリアを変調して多重し、これによって有効期間ＴＵの変調信号を生成する。但し、ＯＦＤＭ変調部１１４における変調及び多重処理は、逆フーリエ変換を用いて変調信号を周波数領域から時間領域に変換することによって行われる。なお、ＯＦＤＭ変調部１１４における変調及び多重処理に逆高速フーリエ変換を用いることができる。
【０１０５】
＜ガードインターバル挿入部１１５＞
ガードインターバル挿入部１１５は、ＯＦＤＭ変調部１１４から入力される有効期間ＴＵの変調信号に基づいてガードインターバル部分に挿入するガード期間Δの信号（以下、「ガード期間信号」と言う。）を生成する。そして、ガードインターバル挿入部１１５は、ガード期間信号が付加された変調信号（以下、「ＯＦＤＭ信号」と言う。）をＤ／Ａ変換部１１６へ出力する。
【０１０６】
但し、ガードインターバル部分に挿入される信号は、ＯＦＤＭ変調部１１４が生成した有効期間ＴＵの変調信号を周期的に連続に繰り返した信号のガードインターバル部分に対応する信号である。具体的な例を記載すると、ガードインターバル部分に挿入される信号は、ＯＦＤＭ変調部１１４が生成した有効期間ＴＵの変調信号のうちの後ろ部分のガード期間Δ分の信号である。
【０１０７】
＜Ｄ／Ａ変換部１１６＞
Ｄ／Ａ変換部１１６は、ガードインターバル挿入部１１５から入力されるＯＦＤＭ信号をデジタル信号からアナログ信号に変換し、アナログ信号に変換されたＯＦＤＭ信号をフロントエンド部１１７へ出力する。
＜フロントエンド部１１７＞
フロントエンド部１１７は、Ｄ／Ａ変換部１１６から入力されるアナログ信号に変換されたＯＦＤＭ信号を送信周波数帯域に周波数変換し、周波数変換により得られた送信周波数帯域のＯＦＤＭ信号を増幅する。増幅された送信周波数帯域のＯＦＤＭ信号はアンテナ１１８から送信される。
【０１０８】
アンテナ１１８から送信されるＯＦＤＭ信号は下記の（数１８）に示すものとなる。
【０１０９】
【数１８】
2008149510.tif 000049
【０１１０】
但し、（数１８）において、ｔは時間、ｓ（ｔ）はアンテナ１１８から送信されるＯＦＤＭ信号である。ｋはキャリア番号、ｎはシンボル番号、ｍはフレーム番号を表す。Ｋｍａｘの値は伝送モードに依存し、Ｋｍｉｎ及びＫｍａｘは例えば上述した値である。ＴＳはＯＦＤＭシンボルの期間、ＴＵはキャリア間隔の逆数（有効期間）、Δはガード期間である。ｆＣはＲＦ（Radio Frequency）の中心周波数である。ｋ’は中心周波数からの相対的なキャリアインデックスであって、ｋ’＝ｋ−（Ｋｍｉｎ＋Ｋｍａｘ）／２である。Ｃｍ，ｎ，ｋはフレーム番号ｍ、シンボル番号ｎ及びキャリア番号ｋのセルに割り当てられた複素数値（変調シンボル）を表す。
【０１１１】
≪送信装置の動作≫
以下、図２及び図３を参照しつつ構成を説明した送信装置の動作について説明する。
送信装置１００に入力された第１系統のトランスポートストリーム（送信データ）は、エネルギ拡散部１０１、外符号化部１０２、外インタリーバ１０３、及び内符号化部１０４によって順次所定の処理が施される。並列して、送信装置１００に入力された第２系統のトランスポートストリーム（送信データ）は、エネルギ拡散部１０５、外符号化部１０６、外インタリーバ１０７、及び内符号化部１０８によって順次所定の処理が施される。そして、内符号化部１０４から出力される送信データ及び内符号化部１０８から出力される送信データは内インタリーバによってインタリーブされ、インタリーブが施された送信データはマッピング部１１２に供給される。
【０１１２】
ＴＰＳ信号生成部１１０において、ＴＰＳブロック生成部１５１は順次ＴＰＳブロックｓ０〜ｓ６７を生成する。ローテーション部１５２はＴＰＳブロック生成部１５１によって順次生成されたＴＰＳブロックｓ０〜ｓ６７の内容を上述した所定の規則に従って並び替え、続いて、パーミュテーション部１５３は並び替えによって得られたＴＰＳブロックｓ’０〜ｓ’６７の内容を上述した所定の規則に従って更に並び替え、並び替えによって得られたＴＰＳブロックｓ”０〜ｓ”６７はマッピング部１１２に供給される。
【０１１３】
パイロット生成部１１１はＳＰ信号とＣＰ信号とを生成し、生成されたＳＰ信号とＣＰ信号とはマッピング部１１２に供給される。
マッピング部１１２は、内インタリーバ１０９から供給される送信データと、ＴＰＳ信号生成部１１０から供給されるＴＰＳブロックｓ”０〜ｓ”６７を構成するバイナリデータと、パイロット生成部１１１から入力されるＳＰ信号及びＣＰ信号とに対してマッピング処理を施し、マッピング処理によって生成した変調シンボルはフレーム適合部１１３に供給される。
【０１１４】
フレーム適合部１１３は、フレームを構成する各々のセルにマッピング部１１２から供給される各変調シンボルを割り当て、ＯＦＤＭ変調部１１４は、各キャリアに対応するセルに割り当てられた変調シンボルに従って各キャリアを変調して多重することによって有効期間ＴＵの変調信号を生成する。ガードインターバル挿入部１１５は、ＯＦＤＭ変調部１１４によって生成された有効期間ＴＵの変調信号にガード期間Δの信号（ガード期間信号）を付加する。
【０１１５】
ガードインターバル挿入部１１５から出力されるガード期間信号が付加された変調信号（ＯＦＤＭ信号）は、Ｄ／Ａ変換部１１６及びフロントエンド部１１７によって所定の処理が施される。所定の処理が施されたＯＦＤＭ信号はフロントエンド部１１７からアンテナ１１８を介して送信される。
≪受信装置の構成≫
以下、本発明の実施の形態の受信装置の構成について図４を参照しつつ説明する。図４は本実施の形態の受信装置の装置構成図である。
【０１１６】
受信装置２００は、アンテナ２０１と、フロントエンド部２０２と、Ａ／Ｄ変換部２０３と、ＡＦＣ部２０４と、シンボル同期部２０５と、ＯＦＤＭ復調部２０６と、ＴＰＳ復調部２０７と、フレーム同期部２０８と、ＴＰＳ復号部２０９と、等化部２１０と、デマッピング部２１１と、内デインタリーバ２１２と、内復号部２１３と、外デインタリーバ２１４と、外復号部２１５と、エネルギ拡散部２１６と、内復号部２１７と、外デインタリーバ２１８と、外復号部２１９と、エネルギ拡散部２２０とを備える。
【０１１７】
＜フロントエンド部２０２＞
送信装置１００から送信されたＯＦＤＭ信号は、アンテナ２０１によって受信され、フロントエンド部２０２に入力される。フロントエンド部２０２は、アンテナ２０１から入力されるＯＦＤＭ信号を送信周波数帯域からベースバンド帯域へ周波数変換し、ベースバンド帯域のＯＦＤＭ信号をＡ／Ｄ変換部２０３へ出力する。
【０１１８】
＜Ａ／Ｄ変換部２０３＞
Ａ／Ｄ変換部２０３は、フロントエンド部２０２から入力されるＯＦＤＭ信号を所定の標本化周波数でサンプリングしてアナログ信号からデジタル信号に変換し、デジタル信号に変換されたＯＦＤＭ信号をＡＦＣ部２０４へ出力する。
＜ＡＦＣ部２０４＞
ＡＦＣ部２０４は、自動周波数制御を行うブロックであって、Ａ／Ｄ変換部２０３から入力されるＯＦＤＭ信号の周波数のずれを補正し、周波数のずれが補正されたＯＦＤＭ信号をシンボル同期部２０５とＯＦＤＭ復調部２０６とへ出力する。
【０１１９】
＜シンボル同期部２０５＞
シンボル同期部２０５は、ＡＦＣ部２０４から入力されるＯＦＤＭ信号を構成しているＯＦＤＭシンボルの周期を検出し、受信装置２００全体のシンボル同期を確立する。
＜ＯＦＤＭ復調部２０６＞
ＯＦＤＭ復調部２０６は、ＯＦＤＭシンボル毎に、ＡＦＣ部２０４から入力されるＯＦＤＭ信号に含まれる複数のキャリアで伝送された変調信号を検波して、複素数値で表される検波シンボルをＴＰＳ復調部２０７と等化部２１０とへ出力する。但し、ＯＦＤＭ復調部２０６における検波処理は、シンボル同期部２０５によるシンボル同期の確立結果に基づいてＯＦＤＭ信号から有効期間ＴＵ分の信号を切り出し、フーリエ変換を用いて切り出した有効期間ＴＵ分の信号を時間領域から周波数領域に変換することによって行われる。なお、ＯＦＤＭ復調部２０６における検波処理に高速フーリエ変換を用いることができる。
【０１２０】
＜ＴＰＳ復調部２０７＞
ＴＰＳ復調部２０７は、図５に示すように、ＤＢＰＳＫ復調部２３１と、逆パーミュテーション部２３２とを有する。
［ＤＢＰＳＫ復調部２３１］
ＤＢＰＳＫ復調部２３１は、ＯＦＤＭ復調部２０６から入力される検波シンボルからＴＰＳキャリア（伝送モードに応じて定まるＴＰＳを伝送するキャリア番号のキャリア）で伝送されている検波シンボルを抽出する。そして、ＤＢＰＳＫ復調部２３１は、ＴＰＳキャリア毎に抽出した検波シンボルをシンボル時間方向にＤＢＰＳＫ復調し、ＤＢＰＳＫ復調の結果得られたバイナリデータを逆パーミュテーション部２３２へ出力する。
【０１２１】
［逆パーミュテーション部２３２］
逆パーミュテーション部２３２は、伝送モードに対応した送信装置１００のパーミュテーション部１５３が用いる並び替えの規則と逆の並び替えの規則に従って、ＤＢＰＳＫ復調部２３１から入力されるバイナリデータを並び替え、並び替えられたバイナリデータをＴＰＳブロック単位でフレーム同期部２０８とＴＰＳ復号部２０９内の後述する合成部２７１とへ出力する。なお、パーミュテーション部１５３が用いる並び替えの規則は全てのＯＦＤＭシンボルにおいて共通であることから、逆パーミュテーション部２３２はバイナリデータを並び替える対象のＯＦＤＭシンボルのシンボル番号を知らなくてもバイナリデータの並び替えを実行することができる。
【０１２２】
但し、逆パーミュテーション部２３２から出力されるＴＰＳブロックは、送信装置１００のローテンション部１５２で巡回的にビットシフトされた状態のＴＰＳブロックに相当する。
また、逆パーミュテーション部２３２は、例えば、２Ｋモードの場合、ＴＰＳブロックとして、例えば、シンボル番号３〜６に係るＴＰＳブロック、シンボル番号４〜７に係るＴＰＳブロック、シンボル番号５〜８に係るＴＰＳブロック、・・・、を順番に出力する。
【０１２３】
＜フレーム同期部２０８＞
フレーム同期部２０８は、図５に示すように、同期ワード検出部２５１と、同期保護部２５２とを有する。
［同期ワード検出部２５１］
同期ワード検出部２５１は、逆パーミュテーション部２３２から入力されるＴＰＳブロックから同期ワードの検出を行う。そして、同期ワード検出部２５１は、同期ワードが検出されたＴＰＳブロック内の位置情報と、検出された同期ワードが２種類の交番符号の何れであるかを示す交番情報とを同期保護部２５２へ出力する。
【０１２４】
［同期保護部２５２］
同期保護部２５２には同期ワード検出部２５１から位置情報と交番情報とが入力される。同期保護部２５２は位置情報が示すＴＰＳブロック内の同期ワードが検出された位置と交番情報が示す交番符号の種類とに基づいてフレーム同期再生を行い、フレーム同期信号をＴＰＳ復号部２０９内の後述する逆ローテーション部２７３と受信装置２００の所定の各部へ出力する。
【０１２５】
以下、同期保護部２５２の処理内容の詳細を記載する。
上述したように、送信装置１００のローテーション部１５２がＴＰＳブロックｓ０〜ｓ６７の内容を巡回シフトするビット数ｎ’はフレーム内のシンボル番号によって定まっている。また、同期ワードは２種類の交番符号である。
同期保護部２５２は、位置情報が示すＴＰＳブロック（逆パーミュテーション部２３２から出力されるＴＰＳブロック）内の同期ワードが検出された位置から当該ＴＰＳブロックの内容が巡回シフトされたビット数ｎ’を判定する。続いて、同期保護部２５２は、判定したビット数ｎ’に基づいてフレーム内における当該ＴＰＳブロックのシンボル位置を特定する。
【０１２６】
さらに、同期保護部２５２は、ＴＰＳブロック内の同期ワードの検出位置の変化と検出された同期ワードに係る交番符号の種類の変化を観測して、同期保護を施し、フレーム同期信号をＴＰＳ復号部２０９内の後述する逆ローテーション部２７３と受信装置２００の所定の各部へ出力する。但し、同期保護部２５２は、逆ローテーション部２７３によるＴＰＳブロックの逆ローテーション処理を可能にすべく、ＴＰＳブロックの内容が巡回シフトされたビット数ｎ’を逆ローテーション部２５２へ出力する。
【０１２７】
＜ＴＰＳ復号部２０９＞
ＴＰＳ復号部２０９は、図５に示すように、メモリ２７１と、合成部２７２と、逆ローテーション部２７３と、ＢＣＨ復号部２７４とを備える。
［メモリ２７１］
メモリ２７１には、合成部２７２による合成処理の途中結果が記憶される。
【０１２８】
［合成部２７２］
合成部２７２は、メモリ２７１に合成処理の途中結果を格納しながら、逆パーミュテーション部２３２から入力される同じ同期ワードを含む複数のＴＰＳブロックを用いて、ＴＰＳブロック生成部１５１によって生成されるＴＰＳブロックで見て同じビットのバイナリデータを合成する処理を実行する。そして、合成部２７２は、合成の結果得られたＴＰＳブロックを逆ローテーション部２７３へ出力する。なお、同期ワードが交番符号であることを用いることによって、逆パーミュテーション部２３２から出力されるＴＰＳブロックにおいて同じ同期ワードを含むＴＰＳブロックを知ることができる。
【０１２９】
但し、合成部２７２に入力されるＴＰＳブロックは送信装置１００のローテーション部１５２によるローテーション処理後のＴＰＳブロックに相当し、ＴＰＳブロックの内容をビットシフトするビット数ｎ’は規則的に変化する。言い換えると、ＴＰＳブロック生成部１５１によって生成されるＴＰＳブロックの同じビットの相対的な位置関係は受信装置２００において既知である。このため、合成部２７２はフレーム同期部２０８がフレーム同期を確立する以前からＴＰＳブロックの合成演算を実行することができる。
【０１３０】
［逆ローテーション部２７３］
逆ローテーション部２７３は、同期保護部２５２から入力されるフレーム同期信号に従い、同期保護部２５２から入力されるビット数ｎ’を利用して、合成部２７２から入力される合成処理が施されたＴＰＳブロックの内容を、伝送モードに応じた送信装置１００のローテーション部１５２が用いる並び替えの規則と逆の並び替えの規則に従って並び替え、並び替えの結果得られたＴＰＳブロックをＢＣＨ復号部２７４へ出力する。
【０１３１】
［ＢＣＨ復号部２７４］
ＢＣＨ復号部２７４は、逆ローテーション部２７３から入力されるＴＰＳブロックの内容に対してＢＣＨ符号に基づく復号（誤り訂正）を行い、復号（誤り訂正）の結果得られた伝送パラメータ情報に基づいて受信装置２００の各部の動作を設定する。但し、伝送パラメータ情報には、コンステレーション（データ伝送キャリアの変調方法）、階層情報、伝送路符号化の符号化率、ガード期間長、伝送モード、セルＩＤが含まれる。なお、ガード期間長或いは伝送モードなどを利用する受信装置の各部は、通常、ガード期間長或いは伝送モードの特定を伝送パラメータ情報を利用せずに既知技術である他の手法によって行う。
【０１３２】
＜等化部２１０＞
等化部２１０は、ＯＦＤＭ復調部２０６から入力される検波シンボルからＳＰ信号及びＣＰ信号の何れかを伝送しているキャリアに対応する検波シンボルを抽出し、抽出した検波シンボルに基づいて伝送路の伝達特性を推定する。そして、等化部２１０は、推定した伝送路の伝達特性に基づいて、送信データを伝送しているキャリアに対応する検波シンボルを等化する。
【０１３３】
＜デマッピング部２１１＞
デマッピング部２１１は、伝送パラメータ情報に示されるコンステレーションに基づき、等化部２１０から入力される等化処理が施された検波シンボルをデマッピングし、デマッピングにより得られた復調データを内デインタリーバ２１２へ出力する。
＜内デインタリーバ２１２＞
内デインタリーバ２１２は、デマッピング部２１１から入力される復調データを送信装置１００の内インタリーバ１０９によるインタリーブ処理と逆順で並び替える。内デインタリーバ２１２は、伝送パラメータ情報に含まれる階層情報に基づいて並び替えられた復調データを２つの階層に分離し、一方を内復号部２１３へ出力し、他方を内復号部２１７へ出力する。
【０１３４】
＜内復号部２１３＞
内復号部２１３は、内デインタリーバ２１２から入力される一方の階層の復調データを内符号である畳み込み符号に基づいて復号（誤り訂正）し、復号（誤り訂正）の結果得られた復号データを外デインタリーバ２１４へ出力する。但し、内復号部２１３による復号処理（誤り訂正処理）は、例えば、ビタビアルゴリズムを用いて行われる。
【０１３５】
＜外デインタリーバ２１４＞
外デインタリーバ２１４は、内復号部２１３から入力される復号データを送信装置１００の外インタリーバ１０３によるバイト単位の畳み込みインタリーブ処理の逆順で並び替え、並び替えられた復号データを外復号部２１５へ出力する。
＜外復号部２１５＞
外復号部２１５は、外デインタリーバ２１４から入力される復号データを外符号であるＲＳ符号に基づいて復号（誤り訂正）し、復号（誤り訂正）の結果得られた復号データをエネルギ拡散部２１６へ出力する。
【０１３６】
＜エネルギ拡散部２１６＞
エネルギ拡散部２１６は、外復号部２１５から入力される復号データに対して送信装置１００のエネルギ拡散部１０１で施されたエネルギ拡散を解除し、エネルギ拡散の解除によって得られた復号データを第１系統のトンラスポートストリームとして出力する。
＜内符号部２１７＞
内符号部２１７は、内デインタリーバ２１７から入力される他方の階層の復調データを内符号である畳み込み符号に基づいて復号（誤り訂正）し、復号（誤り訂正）の結果得られた復号データを外デインタリーバ２１８へ出力する。但し、内復号部２１７による復号処理（誤り訂正処理）は、例えば、ビタビアルゴリズムを用いて行われる。
【０１３７】
＜外デインタリーバ２１８＞
外デインタリーバ２１８は、内復号部２１７から入力される復号データを送信装置１００の外インタリーバ１０７によるバイト単位の畳み込みインタリーブ処理の逆順で並び替え、並び替えられた復号データを外復号部２１９へ出力する。
＜外復号部２１９＞
外復号部２１９は、外デインタリーバ２１８から入力される復号データを外符号であるＲＳ符号に基づいて復号（誤り訂正）し、復号（誤り訂正）の結果得られた復号データをエネルギ拡散部２２０へ出力する。
【０１３８】
＜エネルギ拡散部２２０＞
エネルギ拡散部２２０は、外復号部２１９から入力される復号データに対して送信装置１００のエネルギ拡散部１０５で施されたエネルギ拡散を解除し、エネルギ拡散の解除によって得られた復号データを第２系統のトランスポートストリームとして出力する。
≪受信装置の動作≫
以下、図４及び図５を参照しつつ構成を説明した送信装置の動作について説明する。
【０１３９】
送信装置１００から送信されたＯＦＤＭ信号はアンテナ２０１によって受信される。アンテナ２０１によって受信されたＯＦＤＭ信号は、フロントエンド部２０２、Ａ／Ｄ変換部２０３及びＡＦＣ部２０４によって順次所定の処理が施された後、シンボル同期部２０５とＯＦＤＭ復調部２０６とへ供給される。
シンボル同期部２０５は、ＡＦＣ部２０４から入力されるＯＦＤＭ信号に基づいて受信装置２００全体のシンボル同期を確立する。
【０１４０】
ＯＦＤＭ復調部２０６は、ＯＦＤＭシンボル毎に、ＡＦＣ部２０４から入力されるＯＦＤＭ信号に含まれる複数のキャリアで伝送された変調信号を検波して、複素数値で表される検波シンボルをＴＰＳ復調部２０７と等化部２１０とへ出力する。
ＴＰＳ復調部２０７において、ＤＢＰＳＫ変調部２３１は、ＯＦＤＭ復調部２０６から入力される検波シンボルからＴＰＳキャリアで伝送されている検波シンボルを抽出し、ＴＰＳキャリア毎に抽出した検波シンボルをシンボル時間方向にＤＢＰＳＫ復調する。そして、逆パーミュテーション部２３２は、伝送モードに対応した送信装置１００のパーミュテーション部１５３が用いる並び替えの規則と逆の並び替えの規則に従って、ＤＢＰＳＫ復調されたバイナリデータを並び替え、並び替えられたバイナリデータをＴＰＳブロック単位でフレーム同期部２０８とＴＰＳ復号部２０９とへ出力する。
【０１４１】
フレーム同期部２０８において、同期ワード検出部２５１は、逆パーミュテーション部２３２から入力されるＴＰＳブロックから同期ワードの検出を行う。そして、同期保護部２５２は、同期ワード検出部２５１による同期ワードの検出結果（ＴＰＳブロック内の同期ワードが検出された位置と検出された同期ワードの種類）の変化に基づいてフレーム同期再生を行う。
【０１４２】
ＴＰＳ復号部２０９において、合成部２７２は、同じ同期ワードを含む複数のＴＰＳブロックを用いて逆パーミュテーション部２３２から入力されるバイナリデータを合成の途中結果をメモリ２７１に格納しながら合成する。逆ローテーション部２７３は、同期保護部２５２から供給されたフレーム同期信号に従って、合成処理が施されたＴＰＳブロックの内容を、伝送モードに応じた送信装置１００のローテーション部１５２が用いる並び替えの規則と逆の並び替えの規則に従って並び替え、並び替えの結果得られたＴＰＳブロックをＢＣＨ復号部２７４へ出力する。ＢＣＨ復号部２７４は、逆ローテーション部２７３による並び替えの処理が施されたＴＰＳブロックの内容に対してＢＣＨ符号に基づく復号（誤り訂正）を行い、復号（誤り訂正）の結果得られた伝送パラメータ情報に基づいて受信装置２００の各部の動作を設定する。
【０１４３】
等化部２１０は、ＯＦＤＭ復調部２０６から入力される検波シンボルからＳＰ信号及びＣＰ信号の何れかを伝送しているキャリアに対応する検波シンボルを抽出し、抽出した検波シンボルに基づいて伝送路の伝達特性を推定する。そして、等化部２１０は、推定した伝送路の伝達特性に基づいて、送信データを伝送しているキャリアに対応する検波シンボルを等化する。
【０１４４】
等化部２１０によって等化された検波シンボルはデマッピング部２１１によってデマッピングされ、デマッピングの結果得られた復調データは内デインタリーバ２１２によってインタリーブ処理が施された後、一方の階層の復調データは内復号部２１３に供給され、他方の復調データは内復号部２１７へ供給される。
一方の階層の復調データは内復号部２１３によって復号され、復号された復号データは外デインタリーバ２１４、外復号部２１５及びエネルギ拡散部２１６によって順次所定の処理が施された後、エネルギ拡散部２１６から出力される。
【０１４５】
他方の階層の復調データは内復号部２１７によって復号され、復号された復号データは外デインタリーバ２１８、外復号部２１９及びエネルギ拡散部２２０によって順次所定の処理が施された後、エネルギ拡散部２２０から出力される。
上述した実施の形態によれば、同期ワード及び伝送パラメータ情報を含むＴＰＳブロックｓ０〜ｓ６７を、１つのＯＦＤＭシンボルで複数ビット分伝送し、複数のＴＰＳキャリアからなるキャリア群を用いて繰り返して伝送する。そして、ＴＰＳブロックｓ０〜ｓ６７を繰り返して伝送する過程において、ＴＰＳブロックｓ０〜ｓ６７を構成する各々のバイナリデータを伝送するＴＰＳキャリアを所定の規則に従って変化させる。
【０１４６】
このように、１つのＯＦＤＭシンボルでＴＰＳブロックｓ０〜ｓ６７の複数ビット分伝送することによって、１つのＯＦＤＭシンボルでＴＰＳブロックｓ０〜ｓ６７の１ビット分伝送する場合に比べて、１つのＴＰＳブロックｓ０〜ｓ６７を伝送するために必要なＯＦＤＭシンボルの数を少なくすることができる。この結果、受信装置２００は伝送パラメータ情報等を短時間で取得することができる。
【０１４７】
また、ＴＰＳブロックｓ０〜ｓ６７の各々のビットは、複数のキャリア及び複数のＯＦＤＭシンボルに分散して繰り返し伝送されているため、周波数方向及び時間方向の双方にダイバーシティ効果を有する。これにより、伝送路の周波数選択性フェージング、伝送路の時間変動及びインパルス雑音に対して伝送パラメータ情報を含むＴＰＳブロックｓ０〜ｓ６７の伝送品質の向上を図ることができる。
【０１４８】
なお、送信装置１００はローテーション部１５２においてＴＰＳブロックｓ０〜ｓ６７の各々のビットのバイナリデータと当該バイナリデータを伝送するＴＰＳキャリアとの対応関係を所定の規則に従って順次変化させる。これによって周波数ダイバーシティ効果と時間ダイバーシティ効果との双方を得ることが可能になる。
また、送信装置１００はパーミュテーション部１５３においてローテーション部１５２による並び替えの結果得られたＴＰＳブロックｓ’０〜ｓ’６７の内容を擬似的にランダムに並び替える。これによって、ＴＰＳブロックｓ０〜ｓ６７の各々のビットのバイナリデータと当該バイナリデータを伝送するＴＰＳキャリアとの対応関係を順次変化させる所定の規則をより複雑な規則にすることができる。これによって、周波数ダイバーシティ効果をより大きくすることが可能になる。
【０１４９】
さらに、合成部２７２が伝送路の状況が悪い場合には合成するＴＰＳブロックの数を多くし、伝送路の状況がよい場合には合成するＴＰＳブロックの数を少なくすることによって、伝送パラメータ情報の取得時間を短縮することと伝送品質を向上することとのトレードオフを制御することが可能になる。
≪補足≫
本発明は、上記の実施の形態に限られるものではなく、例えば、次のようなものであってもよい。
【０１５０】
（１）上記の実施の形態では、ＤＶＢ−Ｔ方式を例に挙げて説明したが、これに限られるものではなく、上記の実施の形態のＴＰＳブロックの伝送の仕組みの考え方を、例えば、ＩＳＤＢ−Ｔ（Integrated Services Digital Broadcasting Terrestrial）方式に適用してもよい。この場合、ＴＰＳがＴＭＣＣ（Transmissionand Multiplexing Configuration Control）信号に置き換わることになる。
【０１５１】
（２）上記の実施の形態におけるフレーム構成、ＴＰＳブロックの内容、ＴＰＳブロックのビット数、ＴＰＳキャリアの数、ＴＰＳキャリアの周波数配置は、具体的な一例を示したものに過ぎず、上述したものである必要は必ずしもない。
例えば、制御情報（ＴＰＳブロックに相当）のビット数がＭで、１ＯＦＤＭシンボル当り制御情報の伝送に用いられるキャリアの数がＮである場合に、Ｍ＝Ｎであれば、８Ｋモードと同様の並び替えの規則を適用することができる。また、Ｍ＝ａ×Ｎ（ａは２以上の整数）であれば、２Ｋモード或いは４Ｋモードと同様の並び替えの規則を適用することができる。更に、ｂ×Ｍ＝Ｎ（ｂは２以上の整数）であれば、１６Ｋモード或いは３２Ｋモードと同様の並び替えの規則を適用することができる。
【０１５２】
（３）上記の実施の形態におけるＴＰＳブロックｓ０〜ｓ６７の内容を並び替える規則は、具体的な一例を示したものに過ぎず、上述した規則である必要は必ずしもない。
例えば、ＴＰＳブロックｓ０〜ｓ６７の内容を並び替える規則として、ローテーション部１５２が用いる並び替えの規則のみからなる規則であってもよい。この場合には、送信装置１００ではパーミュテーション部１５３が不要になり、受信装置２００では逆パーミュテーション部２３２が不要になる。
【０１５３】
また、ローテーション部１５２が用いるＴＰＳブロックｓ０〜ｓ６７の内容の並び替えの規則がバイナリデータを２以上の所定数のビット分シフトさせるものであってもよい。例えば、２Ｋモードにおいて、ＴＰＳブロックを構成するＴＰＳサブブロックの内容を２ビットずつ巡回シフトするようにするなどである。
さらに、パーミュテーション部１５３は（数６）から（数１１）に示す並び替えの規則を用いてＴＰＳブロックｓ’０〜ｓ’６７を並び替えているが、パーミュテーション部１５３が用いる並び替えの規則は（数６）から（数１１）に示す並び替えの規則に示す並び替えの規則である必要は必ずしもない。なお、パーミュテーション部１５３による並び替えの規則は全てのＯＦＤＭシンボルにおいて同じであることが好ましい。
【０１５４】
なお、送信装置１００におけるＴＰＳブロックｓ０〜ｓ６７の内容の並び替えの規則は、ＴＰＳブロックｓ０〜ｓ６７の各々のビットのバイナリデータを伝送するＴＰＳキャリアがＴＰＳブロックｓ０〜ｓ６７を伝送する数のＯＦＤＭシンボル毎に所定の規則に従って変化するものであることが好ましい。また、１つのＴＰＳブロックｓ０〜ｓ６７を２以上のＯＦＤＭシンボルで伝送する場合には、ＴＰＳブロックｓ０〜ｓ６７の内容の並び替えの規則は、ＴＰＳブロックｓ０〜ｓ６７における各ＴＰＳサブブロックにおいて、ＴＰＳサブブロックが同じＯＦＤＭシンボルで伝送されるような並び替えの規則であり、各ＴＰＳサブブロック間で同じ並び替えの規則であることが好ましい。
【０１５５】
（４）上記の実施の形態では、２Ｋモード及び４Ｋモードにおいて、ＴＰＳブロックを連続するビットからなるＴＰＳサブブロックに分割しているが、これに限られるものではなく、ＴＰＳブロックを当該ＴＰＳブロックの任意のビットからなるＴＰＳサブブロックに分割してもよい。例えば、４Ｋモードの場合、ＴＰＳブロックをＴＰＳブロックの奇数ビットからなるＴＰＳサブブロックとＴＰＳブロックの偶数ビットからなるＴＰＳサブブロックに分割するなどである。
【０１５６】
（５）上記の実施の形態では、受信装置２００の同期ワード検出部２５１は複数のＴＰＳブロックを合成することなく同期ワードの検出を行うようになっているが、これに限られるものではなく、同期ワードが交番することを考慮して複数のＴＰＳブロックを合成してから同期ワードの検出を行うようにしてもよい。
（６）上記の実施の形態ではＯＦＤＭ伝送を例に挙げて説明したが、これに限られるものではなく、複数のキャリアを用いるマルチキャリア伝送であってもよい。
【０１５７】
（７）上記の実施の形態の送信装置及び受信装置の夫々は、典型的には集積回路であるＬＳＩ(LargeScale Integration)として実現されてよい。各回路を個別に１チップとしてもよいし、全ての回路又は一部の回路を含むように１チップ化されてもよい。
ここでは、ＬＳＩとして記載したが、集積度の違いにより、ＩＣ(IntegratedCircuit)、システムＬＳＩ、スーパＬＳＩ、ウルトラＬＳＩと呼称されることもある。
【０１５８】
また、集積回路化の手法はＬＳＩに限るものではなく、専用回路又は汎用プロセッサで実現してもよい。ＬＳＩ製造後にプログラム化することが可能なＦＰＧＡ（Field Programmable Gate Array）、ＬＳＩ内部の回路セルの接続や設定を再構成可能なリコンフィギュラブル・プロセッサを利用してもよい。
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０１５９】
本発明は、伝送パラメータ情報を伝送するデジタル放送方式に利用することができるとともに、携帯電話機、無線ＬＡＮ、電力線通信、ｘＤＳＬなどのデジタル通信などに利用することができる。
【符号の説明】
【０１６０】
１００  送信装置
１０１，１０５  エネルギ拡散部
１０２，１０６  外符号化部
１０３，１０７  外インタリーバ
１０４，１０８  内符号化部
１０９  内インタリーバ
１１０  ＴＰＳ信号生成部
１１１  パイロット生成部
１１２  マッピング部
１１３  フレーム適合部
１１４  ＯＦＤＭ変調部
１１５  ガードインターバル挿入部
１１６  Ｄ／Ａ変換部
１１７  フロントエンド部
１１８  アンテナ
１５１  ＴＰＳブロック生成部
１５２  ローテーション部
１５３  パーミュテーション部
２０１  アンテナ
２０２  フロントエンド部
２０３  Ａ／Ｄ変換部
２０４  ＡＦＣ部
２０５  シンボル同期部
２０６  ＯＦＤＭ復調部
２０７  ＴＰＳ復調部
２０８  フレーム同期部
２０９  ＴＰＳ復号部
２１０  等化部
２１１  デマッピング部
２１２  内デインタリーバ
２１３，２１７  内復号部
２１４，２１８  外デインタリーバ
２１５，２１９  外復号部
２１６，２２０  エネルギ拡散部
２３１  ＤＢＰＳＫ復調部
２３２  逆パーミュテーション部
２５１  同期ワード検出部
２５２  同期保護部
２７１  メモリ
２７２  合成部
２７３  逆ローテーション部
２７４  ＢＣＨ復号部
【手続補正２】
【補正対象書類名】特許請求の範囲
【補正対象項目名】全文
【補正方法】変更
【補正の内容】
【特許請求の範囲】
【請求項１】
複数の所定のキャリアからなるキャリア群を含む複数のキャリアをシンボル期間毎に変調し、当該キャリア群を用いて制御情報の伝送を行う送信装置において、
１つのシンボル期間において前記制御情報の複数ビット分のバイナリデータを伝送し、前記制御情報を１以上の所定数のシンボル期間で１回伝送する伝送部と、
前記制御情報の各々のビットのバイナリデータを伝送するキャリアが前記キャリア群において前記所定数のシンボル期間毎に所定の規則に基づいて変化するように前記伝送部の前記制御情報の伝送を制御する伝送制御部と、
を備える送信装置。
【請求項２】
前記所定の規則は、前記制御情報の同じビットのバイナリデータを伝送するキャリアが前記キャリア群において前記所定のシンボル期間毎に巡回的にシフトする規則である請求項１記載の送信装置。
【請求項３】
前記所定の規則は、前記制御情報の同じビットのバイナリデータを伝送するキャリアが前記キャリア群において前記所定のシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則である請求項１記載の送信装置。
【請求項４】
複数の所定のキャリアからなるキャリア群を含む複数のキャリアをシンボル期間毎に変調し、当該キャリア群を用いて制御情報の伝送を行う送信装置において、
１つのシンボル期間において前記制御情報の全ビットのバイナリデータを伝送し、前記制御情報を毎シンボル期間で１回以上伝送する伝送部と、
前記制御情報の各々のビットのバイナリデータを伝送するキャリアが前記キャリア群においてシンボル期間毎に所定の規則に基づいて変化するように前記伝送部の前記制御情報の伝送を制御する伝送制御部と、
を備える送信装置。
【請求項５】
前記所定の規則は、前記制御情報の同じビットのバイナリデータを伝送するキャリアが前記キャリア群の全部又は一部においてシンボル期間毎に巡回的にシフトする規則である請求項４記載の送信装置。
【請求項６】
前記所定の規則は、前記制御情報の同じビットのバイナリデータを伝送するキャリアが前記キャリア群の全部又は一部においてシンボル期間毎に巡回的にシフトする第１規則と、当該第１規則の後に行われ、シンボル期間内で当該第１規則に基づいて定まる周波数方向のバイナリデータの並びを並び替え、各シンボル期間で互いに並び替えの規則が同じである第２規則とを含む規則である請求項４記載の送信装置。
【請求項７】
複数の所定のキャリアからなるキャリア群を含む複数のキャリアをシンボル期間毎に変調し、当該キャリア群を用いて制御情報の伝送を行うマルチキャリア伝送方法において、
１つのシンボル期間において前記制御情報の複数ビット分のバイナリデータを伝送し、前記制御情報を１以上の所定数のシンボル期間で１回伝送する伝送ステップと、
前記制御情報の各々のビットのバイナリデータを伝送するキャリアが前記キャリア群において前記所定数のシンボル期間毎に所定の規則に基づいて変化するように前記伝送ステップにおける前記制御情報の伝送を制御する伝送制御ステップと、
を有するマルチキャリア伝送方法。
【請求項８】
複数の所定のキャリアからなるキャリア群を含む複数のキャリアをシンボル期間毎に変調し、当該キャリア群を用いて制御情報の伝送を行うマルチキャリア伝送方法において、
１つのシンボル期間において前記制御情報の全ビットのバイナリデータを伝送し、前記制御情報を毎シンボル期間で１回以上伝送する伝送ステップと、
前記制御情報の各々のビットのバイナリデータを伝送するキャリアが前記キャリア群においてシンボル期間毎に所定の規則に基づいて変化するように前記伝送ステップにおける前記制御情報の伝送を制御する伝送制御ステップと、
を有するマルチキャリア伝送方法。
【請求項９】
複数の所定のキャリアからなるキャリア群を含む複数のキャリアがシンボル期間毎に変調されることによって、当該キャリア群を用いて伝送される制御情報の受信を行う受信装置において、
１つのシンボル期間において前記制御情報の複数ビット分のバイナリデータが伝送され、前記制御情報は１以上の所定数のシンボル期間で１回伝送され、前記制御情報の各々のビットのバイナリデータを伝送するキャリアが前記キャリア群において前記所定数のシンボル期間毎に所定の規則に基づいて変化するように前記制御情報の伝送の制御が行われることによって伝送される当該制御情報を受信する受信部と、
前記受信部によって受信される前記制御情報の復元を前記所定の規則に基づいて行う復元部と、
を備える受信装置。
【請求項１０】
複数の所定のキャリアからなるキャリア群を含む複数のキャリアがシンボル期間毎に変調されることによって、当該キャリア群を用いて伝送される制御情報の受信を行う受信装置において、
１つのシンボル期間において前記制御情報の全ビットのバイナリデータが伝送され、前記制御情報は毎シンボル期間で１回以上伝送され、前記制御情報の各々のビットのバイナリデータを伝送するキャリアが前記キャリア群においてシンボル期間毎に所定の規則に基づいて変化するように前記制御情報の伝送の制御が行われることによって伝送される当該制御情報を受信する受信部と、
前記受信部によって受信される前記制御情報の復元を前記所定の規則に基づいて行う復元部と、
を備える受信装置。
【手続補正３】
【補正対象書類名】図面
【補正対象項目名】全図
【補正方法】変更
【補正の内容】
【図１】
2008149510.tif 000050
【図２】
2008149510.tif 000051
【図３】
2008149510.tif 000052
【図４】
2008149510.tif 000053
【図５】
2008149510.tif 000054
【国際調査報告】
2008149510.tif 000055
2008149510.tif 000056
2008149510.tif 000057
2008149510.tif 000058